(57)【特許請求の範囲】
【請求項１】
印刷機で印刷する際に使用する刷版に絵柄を焼き付ける際に使用する刷版データを用いて、印刷物の画像を表示器に表示する表示工程と、
オペレータが表示器に表示された印刷物を見ながら、印刷物の色調を調整する調整工程と
を備えた印刷物の色調調整方法において、
印刷で使用される刷版の前記刷版データに基づく印刷物の画像を第一の領域（１６）に表示するとともに、
印刷で使用されるシアンのインキ供給量のみを予め定められた一定値増加させた時の印刷物の画像を第二の領域（２０）に自動的に参照表示し、
印刷で使用されるマゼンタのインキ供給量のみを予め定められた一定値増加させた時の印刷物の画像を第三の領域（１９）に自動的に参照表示し、
印刷で使用されるイエローのインキ供給量のみを予め定められた一定値増加させた時の印刷物の画像を第四の領域（１８）に自動的に参照表示し、
印刷で使用されるブラックのインキ供給量のみを予め定められた一定値増加させた時の印刷物の画像を第五の領域（２１）に自動的に参照表示し、
印刷で使用されるシアンのインキ供給量のみを予め定められた一定値減少させた時の印刷物の画像を第六の領域（２４）に自動的に参照表示し、
印刷で使用されるマゼンタのインキ供給量のみを予め定められた一定値減少させた時の印刷物の画像を第七の領域（２３）に自動的に参照表示し、
印刷で使用されるイエローのインキ供給量のみを予め定められた一定値減少させた時の印刷物の画像を第八の領域（２２）に自動的に参照表示し、
印刷で使用されるブラックのインキ供給量のみを予め定められた一定値減少させた時の印刷物の画像を第九の領域（２５）に自動的に参照表示する、
第１の参照画像表示工程を調整工程の前に備え、
前記調整工程は、オペレータが前記第１の参照画像表示工程で前記第一の領域から前記第九の領域に表示された印刷物の画像を見ながら、印刷機におけるインキ供給量に基づいて印刷物の色調を調整する工程であり、
前記調整工程は、さらに、オペレータが調整した印刷機におけるインキ供給量に基づいて印刷物の画像を第十の領域（１７）に参照表示する第２の参照画像表示工程を備える、
ことを特徴とする印刷物の色調調整方法。
【発明の詳細な説明】
【技術分野】
【０００１】
本発明は、印刷物の色調調整方法に関する。
【背景技術】
【０００２】
従来、オフセット印刷機の色調整は、印刷物の余白部に印刷したベタのカラー・パッチを濃度計で測定し、測定した濃度値と基準濃度値とを比較し、測定した濃度値が基準濃度値と等しくなるようにインキ供給量を調整することにより行われてきた。
【発明の概要】
【発明が解決しようとする課題】
【０００３】
しかしながら、オフセット印刷機の色調整を印刷物の余白部に印刷したベタのカラー・パッチを濃度計で測定し、測定した濃度値と基準濃度値とを比較し、測定した濃度値が基準濃度値と等しくなるようにインキ供給量を調整することにより行う場合、標準とは異なる色調で印刷できないという問題があった。【０００４】
その場合、印刷機のオペレータが手動でインキ供給量を調整していたが、各オペレータの勘と経験に頼ることとなるため、オペレータに負担がかかると共に、調整に時間がかかるという問題がある。【０００５】
また、ＰＰＦデータより印刷機で印刷された際の印刷物を表示器に表示し、インキ色表示系（マンセル表色系）で色調を調整するものがあるが、印刷機のオペレータが慣れていない色表示系で色調を指示するため、なかなか上手く指示できないという問題がある。【０００６】
以上のことから、本発明は、印刷物の色調を容易に調整することができる印刷物の色調調整方法を提供することを目的とする。
【課題を解決するための手段】
【０００７】
上記の課題を解決する第１の発明に係る印刷物の色調調整方法は、印刷機で印刷する際に使用する刷版に絵柄を焼き付ける際に使用する刷版データを用いて、印刷物の画像を表示器に表示する表示工程と、オペレータが表示器に表示された印刷物を見ながら、印刷物の色調を調整する調整工程とを備えた印刷物の色調調整方法において、印刷で使用される刷版の前記刷版データに基づく印刷物の画像を第一の領域（１６）に表示するとともに、印刷で使用されるシアンのインキ供給量のみを予め定められた一定値増加させた時の印刷物の画像を第二の領域（２０）に自動的に参照表示し、 印刷で使用されるマゼンタのインキ供給量のみを予め定められた一定値増加させた時の印刷物の画像を第三の領域（１９）に自動的に参照表示し、印刷で使用されるイエローのインキ供給量のみを予め定められた一定値増加させた時の印刷物の画像を第四の領域（１８）に自動的に参照表示し、印刷で使用されるブラックのインキ供給量のみを予め定められた一定値増加させた時の印刷物の画像を第五の領域（２１）に自動的に参照表示し、印刷で使用されるシアンのインキ供給量のみを予め定められた一定値減少させた時の印刷物の画像を第六の領域（２４）に自動的に参照表示し、印刷で使用されるマゼンタのインキ供給量のみを予め定められた一定値減少させた時の印刷物の画像を第七の領域（２３）に自動的に参照表示し、印刷で使用されるイエローのインキ供給量のみを予め定められた一定値減少させた時の印刷物の画像を第八の領域（２２）に自動的に参照表示し、印刷で使用されるブラックのインキ供給量のみを予め定められた一定値減少させた時の印刷物の画像を第九の領域（２５）に自動的に参照表示する、第１の参照画像表示工程を調整工程の前に備え、  前記調整工程は、オペレータが前記第１の参照画像表示工程で前記第一の領域から前記第九の領域に表示された印刷物の画像を見ながら、印刷機におけるインキ供給量に基づいて印刷物の色調を調整する工程であり、前記調整工程は、さらに、オペレータが調整した印刷機におけるインキ供給量に基づいて印刷物の画像を第十の領域（１７）に参照表示する第２の参照画像表示工程を備える、ことを特徴とする。
【発明の効果】
【００１２】
本発明によれば、印刷物の色調を容易に調整することができる印刷物の色調調整方法を実現することが可能である。
【図面の簡単な説明】
【００１３】
【図１】本発明に係る印刷物の色調調整方法における色調調整領域指定画面の画面構成を示した図
【図２】本発明に係る印刷物の色調調整方法における色調調整画面の画面構成を示した図である。
【図３】本発明に係る印刷物の色調調整方法における動作フローを示した図である。
【図４】図３に続く動作フローを示した図である。
【図５】図４に続く動作フローを示した図である。
【図６】図５に続く動作フローを示した図である。
【図７】図６に続く動作フローを示した図である。
【図８】図７に続く動作フローを示した図である。
【図９Ａ】本発明に係る印刷物の色調調整方法を用いる色調調整装置のハード・ブロック図である。
【図９Ｂ】図９Ａに続くハード・ブロック図である。
【図９Ｃ】図９Ｂに続くハード・ブロック図である。
【図１０】本発明に係る印刷物の色調調整方法を用いる色調調整装置の周辺装置である各色の各インキ・ツボ・キー開き量制御装置のハード・ブロック図である。
【図１１Ａ】本発明に係る印刷物の色調調整方法を用いる色調調整装置の動作フローを示した図である。
【図１１Ｂ】図１１Ａに続く動作フローを示した図である。
【図１１Ｃ】図１１Ｂに続く動作フローを示した図である。
【図１２Ａ】図１１Ｃに続く動作フローを示した図である。
【図１２Ｂ】図１２Ａに続く動作フローを示した図である。
【図１２Ｃ】図１２Ｂに続く動作フローを示した図である。
【図１２Ｄ】図１２Ｃに続く動作フローを示した図である。
【図１２Ｅ】図１２Ｄに続く動作フローを示した図である。
【図１２Ｆ】図１２Ｅに続く動作フローを示した図である。
【図１３Ａ】図１２Ｆに続く動作フローを示した図である。
【図１３Ｂ】図１３Ａに続く動作フローを示した図である。
【図１３Ｃ】図１３Ｂに続く動作フローを示した図である。
【図１３Ｄ】図１３Ｃに続く動作フローを示した図である。
【図１３Ｅ】図１３Ｄに続く動作フローを示した図である。
【図１３Ｆ】図１３Ｅに続く動作フローを示した図である。
【図１３Ｇ】図１３Ｆに続く動作フローを示した図である。
【図１４Ａ】図１３Ｇに続く動作フローを示した図である。
【図１４Ｂ】図１４Ａに続く動作フローを示した図である。
【図１４Ｃ】図１４Ｂに続く動作フローを示した図である。
【図１４Ｄ】図１４Ｃに続く動作フローを示した図である。
【図１４Ｅ】図１４Ｄに続く動作フローを示した図である。
【図１４Ｆ】図１４Ｅに続く動作フローを示した図である。
【図１５Ａ】図１４Ｆに続く動作フローを示した図である。
【図１５Ｂ】図１５Ａに続く動作フローを示した図である。
【図１５Ｃ】図１５Ｂに続く動作フローを示した図である。
【図１５Ｄ】図１５Ｃに続く動作フローを示した図である。
【図１５Ｅ】図１５Ｄに続く動作フローを示した図である。
【図１５Ｆ】図１５Ｅに続く動作フローを示した図である。
【図１５Ｇ】図１５Ｆに続く動作フローを示した図である。
【図１５Ｈ】図１５Ｇに続く動作フローを示した図である。
【図１５Ｉ】図１５Ｈに続く動作フローを示した図である。
【図１６Ａ】図１５Ｉに続く動作フローを示した図である。
【図１６Ｂ】図１６Ａに続く動作フローを示した図である。
【図１６Ｃ】図１６Ｂに続く動作フローを示した図である。
【図１７Ａ】図１６Ｃに続く動作フローを示した図である。
【図１７Ｂ】図１７Ａに続く動作フローを示した図である。
【図１７Ｃ】図１７Ｂに続く動作フローを示した図である。
【図１７Ｄ】図１７Ｃに続く動作フローを示した図である。
【図１７Ｅ】図１７Ｄに続く動作フローを示した図である。
【図１７Ｆ】図１７Ｅに続く動作フローを示した図である。
【図１７Ｇ】図１７Ｆに続く動作フローを示した図である。
【図１８Ａ】図１７Ｇに続く動作フローを示した図である。
【図１８Ｂ】図１８Ａに続く動作フローを示した図である。
【図１８Ｃ】図１８Ｂに続く動作フローを示した図である。
【図１８Ｄ】図１８Ｃに続く動作フローを示した図である。
【図１９Ａ】図１８Ｄに続く動作フローを示した図である。
【図１９Ｂ】図１９Ａに続く動作フローを示した図である。
【図１９Ｃ】図１９Ｂに続く動作フローを示した図である。
【図１９Ｄ】図１９Ｃに続く動作フローを示した図である。
【図２０Ａ】本発明に係る印刷物の色調調整方法を用いる色調調整装置の周辺装置である各色の各インキ・ツボ・キー開き量制御装置の動作フローを示した図である。
【図２０Ｂ】図２０Ａに続く動作フローを示した図である。
【発明を実施するための形態】
【００１４】
以下、本発明に係る印刷物の色調調整方法を実施するための形態について、図面を参照しながら説明する。
なお、本発明に係る印刷物の色調調整方法は、インキ供給量調整装置を有する各種の印刷機に適用することが可能である。また、以下において、Ｃ、Ｍ、Ｙ及びＫは、シアン、マゼンダ、イエロー及びブラック（クロ）を意味する。
【００１５】
はじめに、本発明に係る印刷物の色調調整方法における色調調整領域指定画面及び色調調整画面の画面構成について説明する。
なお、色調調整領域指定画面及び色調調整画面は画像を表示する表示器に表示される。本実施形態では、この表示器として、例えば、タッチパネルを用いるものとするが、これ以外の一般的なディスプレイ等を用いることとしてもよい。また、表示器に表示される画像データの生成、各種の演算処理及び記憶装置へのデータ記憶指令、及び、周辺機器の制御等は演算処理装置により行う。この演算処理装置には各種データを記憶することができる記憶装置や各種入出力装置が併設されている。
【００１６】
図１に示すように、色調調整領域指定画面１は、印刷物のＰＰＦ（ＣＭＹＫ)データより求めた印刷物の各部の（ＲＧＢ）データにより画像を表示し、色調を調整したい領域をカーソル１０により指定することができる色調調整領域指定部２と、各インキ・ツボ・キーのブレードの開き量を調整して各インキ・ツボ・キーに対応する部位のインキ供給量を調整するインキ供給量調整部３と、後述する再表示を行うための再表示スイッチ１１や、セットを行うためのセットスイッチ１２が配置されるスイッチ配置部４とにより構成されている。なお、色調調整領域指定画面１における色調調整領域指定部２、インキ供給量調整部３及びスイッチ配置部４の配置位置は適宜変更することが可能である。
【００１７】
また、インキ供給量調整部３には、インキ供給装置によるインキ供給量を表示するインキ供給量表示部１３と、インキ供給装置の各インキ・ツボ・キーのブレードの開き量を大きくしてインキ供給量を増加させるインキ供給量アップスイッチ１４と、インキ供給装置の各インキ・ツボ・キーのブレードの開き量を小さくしてインキ供給量を減少させるインキ供給量ダウンスイッチ１５が配置されている。
【００１８】
なお、本実施形態では、例としてスイッチ配置部３に再表示スイッチ１１とセットスイッチ１２を配置した構成を示したが、必要に応じてこれ以外のスイッチをさらに配置するようにしてもよい。
【００１９】
図２に示すように、色調調整画面５は、色調調整領域指定画面１の色調調整領域指定部２でカーソル１０により指定した領域の現在の色調が表示される現在の色調表示部１６と変更した色調が表示される調整した色調表示部１７が配置される変更画像表示部６と、イエローのインキ供給量を増加させた時の色調の予測画像が表示されるＹｕｐ表示部１８と、マゼンタのインキ供給量を増加させた時の色調の予測画像が表示されるＭｕｐ表示部１９と、シアンのインキ供給量を増加させた時の色調の予測画像が表示されるＣｕｐ表示部２０と、ブラックのインキ供給量を増加させた時の色調の予測画像が表示されるＫｕｐ表示部２１と、イエローのインキ供給量を減少させた時の色調の予測画像が表示されるＹｄｏｗｎ表示部２２と、マゼンタのインキ供給量を減少させた時の色調の予測画像が表示されるＭｄｏｗｎ表示部２３と、シアンのインキ供給量を減少させた時の色調の予測画像が表示されるＣｄｏｗｎ表示部２４と、ブラックのインキ供給量を減少させた時の色調の予測画像が表示されるＫｄｏｗｎ表示部２５とにより構成されている。なお、色調調整画面５における変更画像表示部６及び各表示部１８〜２５の配置位置は、適宜変更することが可能である。
【００２０】
また、Ｙｕｐ表示部１８には、イエローのインキ供給量を増加させるＹｕｐスイッチ２６が配置され、Ｍｕｐ表示部１９には、マゼンタのインキ供給量を増加させるＭｕｐスイッチ２７が配置され、Ｃｕｐ表示部２０には、シアンのインキ供給量を増加させるＣｕｐスイッチ２８が配置され、Ｋｕｐ表示部２１には、ブラックのインキ供給量を増加させるＫｕｐスイッチ２９が配置され、Ｙｄｏｗｎ表示部２２には、イエローのインキ供給量を減少させるＹｄｏｗｎスイッチ３０が配置され、Ｍｄｏｗｎ表示部２３には、マゼンタのインキ供給量を減少させるＭｄｏｗｎスイッチ３１が配置され、Ｃｄｏｗｎ表示部２４には、シアンのインキ供給量を減少させるＣｄｏｗｎスイッチ３２が配置され、Ｋｄｏｗｎ表示部２５には、ブラックのインキ供給量を減少させるＫｄｏｗｎスイッチ３３が配置されている。
以上が、本発明に係る印刷物の色調調整方法における色調調整領域指定画面及び色調調整画面の画面構成である。
【００２１】
次に、本発明に係る印刷物の色調調整方法における印刷物の色調調整処理の動作フローについて説明する。
図３に示すように、ステップＰ１において、演算処理装置は、印刷物のＰＰＦ（ＣＭＹＫ）データを読込む。演算処理装置は、ステップＰ１における処理が終了した後、ステップＰ２を実行する。
【００２２】
ステップＰ２において、演算処理装置は、印刷物のＰＰＦ（ＣＭＹＫ)データより、印刷物の各部の（ＲＧＢ）データを求め、色調調整領域指定画面１の色調調整領域指定部２に表示する。演算処理装置は、ステップＰ２における処理が終了した後、ステップＰ３を実行する。
【００２３】
ステップＰ３において、オペレータが、色調調整する範囲をカーソル１０で指定する。演算処理装置は、ステップＰ３における処理が終了した後、ステップＰ４を実行する。
【００２４】
ステップＰ４において、演算処理装置は、カーソル１０で指定された範囲の（ＲＧＢ）データを読込む。演算処理装置は、ステップＰ４における処理が終了した後、ステップＰ５を実行する。
【００２５】
ステップＰ５において、演算処理装置は、カーソル１０で指定された範囲の（ＲＧＢ）データを、現在の色調表示部１６に表示する。演算処理装置は、ステップＰ５における処理が終了した後、ステップＰ６を実行する。
【００２６】
図４に示すように、ステップＰ６において、演算処理装置は、カーソル１０で指定された範囲のＰＰＦ（ＣＭＹＫ）データを読込む。演算処理装置は、ステップＰ６における処理が終了した後、ステップＰ７を実行する。
【００２７】
ステップＰ７において、演算処理装置は、カーソル１０で指定された範囲のＰＰＦデータのＹデータに一定値を加算し、Ｙ＋データを演算する。演算処理装置は、ステップＰ７における処理が終了した後、ステップＰ８を実行する。
【００２８】
ステップＰ８において、演算処理装置は、カーソル１０で指定された範囲の（ＣＭＹ＋Ｋ）データより、各部の（ＲＧＢ）データを求め、Ｙｕｐ表示部１８に表示する。演算処理装置は、ステップＰ８における処理が終了した後、ステップＰ９を実行する。
【００２９】
ステップＰ９において、演算処理装置は、カーソル１０で指定された範囲のＰＰＦデータのＭデータに一定値を加算し、Ｍ＋データを演算する。演算処理装置は、ステップＰ９における処理が終了した後、ステップＰ１０を実行する。
【００３０】
ステップＰ１０において、演算処理装置は、カーソル１０で指定された範囲の（ＣＭ＋ＹＫ）データより、各部の（ＲＧＢ）データを求め、Ｍｕｐ表示部１９に表示する。演算処理装置は、ステップＰ１０における処理が終了した後、ステップＰ１１を実行する。
【００３１】
ステップＰ１１において、演算処理装置は、カーソル１０で指定された範囲のＰＰＦデータのＣデータに一定値を加算し、Ｃ＋データを演算する。演算処理装置は、ステップＰ１１における処理が終了した後、ステップＰ１２を実行する。
【００３２】
ステップＰ１２において、演算処理装置は、カーソル１０で指定された範囲の（Ｃ＋ＭＹＫ）データより、各部の（ＲＧＢ）データを求め、Ｃｕｐ表示部２０に表示する。演算処理装置は、ステップＰ１２における処理が終了した後、ステップＰ１３を実行する。
【００３３】
ステップＰ１３において、演算処理装置は、カーソル１０で指定された範囲のＰＰＦデータのＫデータに一定値を加算し、Ｋ＋データを演算する。演算処理装置は、ステップＰ１３における処理が終了した後、ステップＰ１４を実行する。
【００３４】
ステップＰ１４において、演算処理装置は、カーソル１０で指定された範囲の（ＣＭＹＫ＋）データより、各部の（ＲＧＢ）データを求め、Ｋｕｐ表示部２１に表示する。演算処理装置は、ステップＰ１４における処理が終了した後、ステップＰ１５を実行する。
【００３５】
図５に示すように、ステップＰ１５において、演算処理装置は、カーソル１０で指定された範囲のＰＰＦデータのＹデータから一定値を減算し、Ｙ−データを演算する。演算処理装置は、ステップＰ１５における処理が終了した後、ステップＰ１６を実行する。
【００３６】
ステップＰ１６において、演算処理装置は、カーソル１０で指定された範囲の（ＣＭＹ−Ｋ）データより、各部の（ＲＧＢ）データを求め、Ｙｄｏｗｎ表示部２２に表示する。演算処理装置は、ステップＰ１６における処理が終了した後、ステップＰ１７を実行する。
【００３７】
ステップＰ１７において、演算処理装置は、カーソル１０で指定された範囲のＰＰＦデータのＭデータから一定値を減算し、Ｍ−データを演算する。演算処理装置は、ステップＰ１７における処理が終了した後、ステップＰ１８を実行する。
【００３８】
ステップＰ１８において、演算処理装置は、カーソル１０で指定された範囲の（ＣＭ−ＹＫ）データより、各部のＲＧＢデータを求め、Ｍｄｏｗｎ表示部２３に表示する。演算処理装置は、ステップＰ１８における処理が終了した後、ステップＰ１９を実行する。
【００３９】
ステップＰ１９において、演算処理装置は、カーソル１０で指定された範囲のＰＰＦデータのＣデータから一定値を減算し、Ｃ−データを演算する。演算処理装置は、ステップＰ１９における処理が終了した後、ステップＰ２０を実行する。
【００４０】
ステップＰ２０において、演算処理装置は、カーソルで指定された範囲の（Ｃ−ＭＹＫ）データより、各部の（ＲＧＢ）データを求め、Ｃｄｏｗｎ表示部２４に表示する。演算処理装置は、ステップＰ２０における処理が終了した後、ステップＰ２１を実行する。
【００４１】
ステップＰ２１において、演算処理装置は、カーソル１０で指定された範囲のＰＰＦデータのＫデータから一定値を減算し、Ｋ−データを演算する。演算処理装置は、ステップＰ２１における処理が終了した後、ステップＰ２２を実行する。
【００４２】
ステップＰ２２において、演算処理装置は、カーソルで指定された範囲の（ＣＭＹＫ−）データより、各部のＲＧＢデータを求め、Ｋｄｏｗｎ表示部２５に表示する。演算処理装置は、ステップＰ２２における処理が終了した後、ステップＰ２３を実行する。
【００４３】
図６に示すように、ステップＰ２３において、演算処理装置は、オペレータが、ＣＭＹＫのｕｐスイッチ２６〜２９又はｄｏｗｎスイッチ３０〜３３をＯＮにしているかどうか判断する。演算処理装置は、ＣＭＹＫのｕｐスイッチ２６〜２９又はｄｏｗｎスイッチ３０〜３３がＯＮにされている場合、ステップＰ２４を実行する。また、演算処理装置は、ＣＭＹＫのｕｐスイッチ２６〜２９又はｄｏｗｎスイッチ３０〜３３がＯＮにされていない場合、ステップＰ２９を実行する。
【００４４】
ステップＰ２４において、演算処理装置は、ｕｐスイッチ２６〜２９又はｄｏｗｎスイッチ３０〜３３による調整量を読込む。演算処理装置は、ステップＰ２４における処理が終了した後、ステップＰ２５を実行する。
【００４５】
ステップＰ２５において、演算処理装置は、調整量より、ＣＭＹＫの各調整総量を演算する。演算処理装置は、ステップＰ２５における処理が終了した後、ステップＰ２６を実行する。
【００４６】
ステップＰ２６において、演算処理装置は、カーソル１０で指定された範囲のＰＰＦ（ＣＭＹＫ）データを読込む。演算処理装置は、ステップＰ２６における処理が終了した後、ステップＰ２７を実行する。
【００４７】
ステップＰ２７において、演算処理装置は、カーソル１０で指定された範囲の（ＣＭＹＫ）データに各調整総量を加減算し、（Ｃ’Ｍ’Ｙ’Ｋ’）データを演算する。演算処理装置は、ステップＰ２７における処理が終了した後、ステップＰ２８を実行する。
【００４８】
ステップＰ２８において、演算処理装置は、カーソル１０で指定された範囲の（Ｃ’Ｍ’Ｙ’Ｋ’）データより各部の（Ｒ’Ｇ’Ｂ’）データを求め、変更した色調表示部１７に表示する。演算処理装置は、ステップＰ２８における処理が終了した後、ステップＰ２９を実行する。
【００４９】
図７に示すように、ステップＰ２９において、演算処理装置は、オペレータが、再表示スイッチ１１をＯＮにしているかどうか判断する。演算処理装置は、再表示スイッチ１１がＯＮにされている場合、ステップＰ３０を実行する。また、演算処理装置は、再表示スイッチ１１がＯＮにされていない場合、ステップＰ３５を実行する。
【００５０】
ステップＰ３０において、演算処理装置は、カーソル１０で指定された範囲より、対応するインキ供給量調整範囲を求める。演算処理装置は、ステップＰ３０における処理が終了した後、ステップＰ３１を実行する。
【００５１】
ステップＰ３１において、演算処理装置は、印刷物のインキ供給量調整範囲のＰＰＦ（ＣＭＹＫ）データを読込む。演算処理装置は、ステップＰ３１における処理が終了した後、ステップＰ３２を実行する。
【００５２】
ステップＰ３２において、演算処理装置は、ＣＭＹＫの各調整総量を読込む。演算処理装置は、ステップＰ３２における処理が終了した後、ステップＰ３３を実行する。
【００５３】
ステップＰ３３において、演算処理装置は、印刷物のインキ供給量調整範囲のＰＰＦ（ＣＭＹＫ）データにＣＭＹＫの各調整総量を加減算し、インキ供給量調整範囲の（Ｃ”Ｍ”Ｙ”Ｋ”）データを演算する。演算処理装置は、ステップＰ３３における処理が終了した後、ステップＰ３４を実行する。
【００５４】
ステップＰ３４において、演算処理装置は、印刷物のインキ供給量調整範囲以外の範囲のＰＰＦ（ＣＭＹＫ）データを読込み、インキ供給量調整範囲以外の範囲の（Ｃ”Ｍ”Ｙ”Ｋ”）データとして記憶装置に記憶する。演算処理装置は、ステップＰ３４における処理が終了した後、ステップＰ３５を実行する。
【００５５】
図８に示すように、ステップＰ３５において、演算処理装置は、オペレータが、セットスイッチ１２をＯＮにしているかどうか判断する。演算処理装置は、セットスイッチ１２がＯＮにされている場合、ステップＰ３６を実行する。また、演算処理装置は、セットスイッチ１２がＯＮにされていない場合、ステップＰ２３を実行する。
【００５６】
ステップＰ３６において、演算処理装置は、印刷物の（Ｃ”Ｍ”Ｙ”Ｋ”）データより、各インキ供給量調整範囲のインキ供給量を演算する。演算処理装置は、ステップＰ３６における処理が終了した後、ステップＰ３７を実行する。
【００５７】
ステップＰ３７において、演算処理装置は、印刷機の各インキ供給量調整装置を、求めたインキ供給量に設定する。演算処理装置は、ステップＰ３４における処理が終了した後、印刷物の色調調整処理を終了する。
以上が、本発明に係る印刷物の色調調整方法における印刷物の色調調整処理の動作フローである。
【００５８】
以下、本発明に係る印刷物の色調調整方法を実施するための形態について詳細に説明する。
はじめに、本発明に係る印刷物の色調調整方法を用いる色調調整装置とその周辺装置の装置構成について説明する。
【００５９】
図９Ａ〜図９Ｃに示すように、本発明に係る印刷物の色調調整方法を用いる色調調整装置１００は、バス上にＣＰＵ１０１、ＲＡＭ１０２、ＲＯＭ１０３、入出力装置（Ｉ／Ｏ）１０４，１０６，１２２及びインタフェース（Ｉ／Ｆ）１２４を備えている。
また、色調調整装置１００は、Ｉ／Ｏ１０４を介して、マウス１０５を備えている
また、色調調整装置１００は、Ｉ／Ｏ１０６を介して、選択範囲確定スイッチ１０７、Ｙ増加スイッチ１０８、Ｙ減少スイッチ１０９、Ｍ増加スイッチ１１０、Ｍ減少スイッチ１１１、Ｃ増加スイッチ１１２、Ｃ減少スイッチ１１３、Ｋ増加スイッチ１１４、Ｋ減少スイッチ１１５、色調調整完了スイッチ１１６、色調再調整スイッチ１１７、入力装置１１８、表示器１１９、Ｆ・Ｄドライブ１２０及びプリンタ等の出力装置１２１を備えている。
また、色調調整装置１００は、Ｉ／Ｏ１２２を介して、内部クロック・カウンタ１２３を備えている。
また、色調調整装置１００は、Ｉ／Ｆ１２４を介して各色の各インキ・ツボ・キー開き量制御装置２００と接続されている。
【００６０】
また、色調調整装置１００は、バス上に、カウント値Ｎ記憶用メモリＭ１、カウント値Ｘ記憶用メモリＭ２、カウント値Ｙ記憶用メモリＭ３、ＰＰＦデータ記憶用メモリＭ４、表示用ＣＭＹＫデータ記憶用メモリＭ５、印刷物のＸ方向の画素数Ｘｍａｘ記憶用メモリＭ６、印刷物のＹ方向の画素数Ｙｍａｘ記憶用メモリＭ７、印刷物表示用データ記憶用メモリＭ８、ポインタ位置（Ｘｓ、Ｙｓ）記憶用メモリＭ９、マウスがドラッグされた距離（Ｘｄ、Ｙｄ）記憶用メモリＭ１０、選択範囲の終端位置（Ｘｅ、Ｙｅ）記憶用メモリＭ１１、色調調整用表示開始位置（Ｘｓ、Ｙｓ）記憶用メモリＭ１２、色調調整用表示終了位置（Ｘｅ、Ｙｅ）記憶用メモリＭ１３、色調調整用表示範囲のＹ方向の画素数記憶用メモリＭ１４、色調調整用表示範囲のＸ方向の画素数記憶用メモリＭ１５、カウント値Ｌ記憶用メモリＭ１６、現在の色調表示用ＣＭＹＫデータ記憶用メモリＭ１７、現在の色調表示用データ記憶用メモリＭ１８、Ｙデータの＋方向の補正値記憶用メモリＭ１９、Ｙ＋データ記憶用メモリＭ２０、Ｙｕｐ表示部用ＣＭＹＫデータ記憶用メモリＭ２１、Ｙデータの−方向の補正値記憶用メモリＭ２２、Ｙ−データ記憶用メモリＭ２３、Ｙｄｏｗｎ表示部用ＣＭＹＫデータ記憶用メモリＭ２４、Ｍデータの＋方向の補正値記憶用メモリＭ２５、Ｍ＋データ記憶用メモリＭ２６、Ｍｕｐ表示部用ＣＭＹＫデータ記憶用メモリＭ２７、Ｍデータの−方向の補正値記憶用メモリＭ２８、Ｍ−データ記憶用メモリＭ２９、Ｍｄｏｗｎ表示部用ＣＭＹＫデータ記憶用メモリＭ３０、Ｃデータの＋方向の補正値記憶用メモリＭ３１、Ｃ＋データ記憶用メモリＭ３２、Ｃｕｐ表示部用ＣＭＹＫデータ記憶用メモリＭ３３、Ｃデータの−方向の補正値記憶用メモリＭ３４、Ｃ−データ記憶用メモリＭ３５、Ｃｄｏｗｎ表示部用ＣＭＹＫデータ記憶用メモリＭ３６、Ｋデータの＋方向の補正値記憶用メモリＭ３７、Ｋ＋データ記憶用メモリＭ３８、Ｋｕｐ表示部用ＣＭＹＫデータ記憶用メモリＭ３９、Ｋデータの−方向の補正値記憶用メモリＭ４０、Ｋ−データ記憶用メモリＭ４１、Ｋｄｏｗｎ表示部用ＣＭＹＫデータ記憶用メモリＭ４２、Ｙｕｐ表示部用データ記憶用メモリＭ４３、Ｙｄｏｗｎ表示部用データ記憶用メモリＭ４４、Ｍｕｐ表示部用データ記憶用メモリＭ４５、Ｍｄｏｗｎ表示部用データ記憶用メモリＭ４６、Ｃｕｐ表示部用データ記憶用メモリＭ４７、Ｃｄｏｗｎ表示部用データ記憶用メモリＭ４８、Ｋｕｐ表示部用データ記憶用メモリＭ４９、Ｋｄｏｗｎ表示部用データ記憶用メモリＭ５０、現在の色調表示用ＣＭＹＫデータのＹデータの合計値記憶用メモリＭ５１、現在の色調表示用ＣＭＹＫデータのＭデータの合計値記憶用メモリＭ５２、現在の色調表示用ＣＭＹＫデータのＣデータの合計値記憶用メモリＭ５３、現在の色調表示用ＣＭＹＫデータのＫデータの合計値記憶用メモリＭ５４、色調表示用ＣＭＹＫデータのＹデータの調整比率記憶用メモリＭ５５、色調表示用ＣＭＹＫデータのＭデータの調整比率記憶用メモリＭ５６、色調表示用ＣＭＹＫデータのＣデータの調整比率記憶用メモリＭ５７、色調表示用ＣＭＹＫデータのＫデータの調整比率記憶用メモリＭ５８、Ｙの調整量の合計値記憶用メモリＭ５９、Ｍの調整量の合計値記憶用メモリＭ６０、Ｃの調整量の合計値記憶用メモリＭ６１、Ｋの調整量の合計値記憶用メモリＭ６２、時間計測用の内部クロック・カウンタのカウント値記憶用メモリＭ６３、今回のＹの調整量記憶用メモリＭ６４、調整後の色調表示用ＣＭＹＫデータのＹデータの合計値記憶用メモリＭ６５、今回のＭの調整量記憶用メモリＭ６６、調整後の色調表示用ＣＭＹＫデータのＭデータの合計値記憶用メモリＭ６７、今回のＣの調整量記憶用メモリＭ６８、調整後の色調表示用ＣＭＹＫデータのＣデータの合計値記憶用メモリＭ６９、今回のＫの調整量記憶用メモリＭ７０、調整後の色調表示用ＣＭＹＫデータのＫデータの合計値記憶用メモリＭ７１、調整した色調表示用ＣＭＹＫデータ記憶用メモリＭ７２、調整した色調表示用データ記憶用メモリＭ７３、色調を調整するインキ・ツボ・キーの最小番号記憶用メモリＭ７４、色調を調整するＸ方向の画素の最小番号記憶用メモリＭ７５、色調を調整するインキ・ツボ・キーの最大番号記憶用メモリＭ７６、色調を調整するＸ方向の画素の最大番号記憶用メモリＭ７７、調整した印刷物表示用ＣＭＹＫデータ記憶用メモリＭ７８、調整した印刷物表示用データ記憶用メモリＭ７９、Ｙの各インキ・ツボ・キーの範囲の合計値記憶用メモリＭ８０、Ｍの各インキ・ツボ・キーの範囲の合計値記憶用メモリＭ８１、Ｃの各インキ・ツボ・キーの範囲の合計値記憶用メモリＭ８２、Ｋの各インキ・ツボ・キーの範囲の合計値記憶用メモリＭ８３、各色のインキ・ツボ・キー総数記憶用メモリＭ８４、各インキ・ツボ・キーの範囲のＸ方向の画素の最大番号Ｘｎ記憶用メモリＭ８５、各インキ・ツボ・キーの範囲の総画素数記憶用メモリＭ８６、各色の各インキ・ツボ・キーの範囲の絵柄面積率記憶用メモリＭ８７、各色の絵柄面積率−インキ・ツボ・キー開き量変換テーブル記憶用メモリＭ８８及び各インキ・ツボ・キーの開き量記憶用メモリＭ８９を備えている。
【００６１】
図１０に示すように、各色の各インキ・ツボ・キー開き量制御装置２００は、バス上に、ＣＰＵ２０１、ＲＯＭ２０２、ＲＡＭ２０３、Ｉ／Ｏ２０４及びＩ／Ｆ２０９を備えている。
また、各色の各インキ・ツボ・キー開き量制御装置２００は、Ｉ／Ｏ２０４を介して、インキ・ツボ・キー駆動用モータ・ドライバ２０５を備えており、インキ・ツボ・キー駆動用モータ・ドライバ２０５にはインキ・ツボ・キー駆動用モータ２０６が接続されている。
また、各色の各インキ・ツボ・キー開き量制御装置２００は、Ｉ／Ｏ２０４を介して、カウンタ２０７を備えており、カウンタ２０７にはインキ・ツボ・キー駆動用モータ用ロータリー・エンコーダ２０８が接続されている。
また、各色の各インキ・ツボ・キー開き量制御装置２００は、Ｉ／Ｆ２０９を介して色調調整装置１００と接続されている。
【００６２】
また、各色の各インキ・ツボ・キー開き量制御装置２００は、バス上に、受信したインキ・ツボ・キーの開き量記憶用メモリＭ１００、目標とするインキ・ツボ・キーの開き量記憶用メモリＭ１０１、カウンタのカウント値記憶用メモリＭ１０２、現在のインキ・ツボ・キーの開き量記憶用メモリＭ１０３を備えている。
以上が、本発明に係る印刷物の色調調整方法を用いる色調調整装置とその周辺装置の装置構成である。
【００６３】
次に、本発明に係る印刷物の色調調整方法を用いる色調調整装置１００の動作フローについて詳細に説明する。
図１１Ａ〜図１１Ｃに示すように、本発明に係る印刷物の色調調整方法を用いる色調調整装置１００は、処理の開始後、ステップＰ１００において、ＣＰＵ１０１は、カウント値Ｎ記憶用メモリＭ１に、１を上書きする。ＣＰＵ１０１は、ステップＰ１００における処理が終了した後、ステップＰ１０１を実行する。
【００６４】
ステップＰ１０１において、ＣＰＵ１０１は、カウント値Ｙ記憶用メモリＭ３に、１を上書きする。ＣＰＵ１０１は、ステップＰ１０１における処理が終了した後、ステップＰ１０２を実行する。
【００６５】
ステップＰ１０２において、ＣＰＵ１０１は、カウント値Ｘ記憶用メモリＭ２に、１を上書きする。ＣＰＵ１０１は、ステップＰ１０２における処理が終了した後、ステップＰ１０３を実行する。
【００６６】
ステップＰ１０３において、ＣＰＵ１０１は、カウント値Ｘ記憶用メモリＭ２からカウント値Ｘを読込む。ＣＰＵ１０１は、ステップＰ１０３における処理が終了した後、ステップＰ１０４を実行する。
【００６７】
ステップＰ１０４において、ＣＰＵ１０１は、カウント値Ｙ記憶用メモリＭ３からカウント値Ｙを読込む。ＣＰＵ１０１は、ステップＰ１０４における処理が終了した後、ステップＰ１０５を実行する。
【００６８】
ステップＰ１０５において、ＣＰＵ１０１は、Ｆ・Ｄドライブ１２０より、印刷物のＮ番目のＰＰＦ（ＣＭＹＫ）データを読込み、ＰＰＦデータ記憶用メモリＭ４及び表示用ＣＭＹＫデータ記憶用メモリＭ５の（Ｘ、Ｙ）のアドレス位置に書込む。ＣＰＵ１０１は、ステップＰ１０５における処理が終了した後、ステップＰ１０６を実行する。
【００６９】
ステップＰ１０６において、ＣＰＵ１０１は、カウント値Ｎ記憶用メモリＭ１からカウント値Ｎを読込む。ＣＰＵ１０１は、ステップＰ１０６における処理が終了した後、ステップＰ１０７を実行する。
【００７０】
ステップＰ１０７において、ＣＰＵ１０１は、カウント値Ｎに１を加算し、カウント値Ｎ記憶用メモリＭ１に上書きする。ＣＰＵ１０１は、ステップＰ１０７における処理が終了した後、ステップＰ１０８を実行する。
【００７１】
ステップＰ１０８において、ＣＰＵ１０１は、カウント値Ｘ記憶用メモリＭ２からカウント値Ｘを読込む。ＣＰＵ１０１は、ステップＰ１０８における処理が終了した後、ステップＰ１０９を実行する。
【００７２】
ステップＰ１０９において、ＣＰＵ１０１は、カウント値Ｘに１を加算し、カウント値Ｘ記憶用メモリＭ２に上書きする。ＣＰＵ１０１は、ステップＰ１０９における処理が終了した後、ステップＰ１１０を実行する。
【００７３】
ステップＰ１１０において、ＣＰＵ１０１は、印刷物のＸ方向の画素数Ｘｍａｘ記憶用メモリＭ６から印刷物のＸ方向の画素数Ｘｍａｘを読込む。ＣＰＵ１０１は、ステップＰ１１０における処理が終了した後、ステップＰ１１１を実行する。
【００７４】
ステップＰ１１１において、ＣＰＵ１０１は、カウント値Ｘ記憶用メモリＭ２からカウント値Ｘを読込む。ＣＰＵ１０１は、ステップＰ１１１における処理が終了した後、ステップＰ１１２を実行する。
【００７５】
ステップＰ１１２において、ＣＰＵ１０１は、カウント値Ｘが印刷物のＸ方向の画素数Ｘｍａｘより大きいかどうか判断する。ＣＰＵ１０１は、カウント値Ｘが印刷物のＸ方向の画素数Ｘｍａｘより大きい場合、ステップＰ１１３を実行する。また、ＣＰＵ１０１は、カウント値Ｘが印刷物のＸ方向の画素数Ｘｍａｘより大きくない場合、ステップＰ１０３を実行する。
【００７６】
ステップＰ１１３において、ＣＰＵ１０１は、カウント値Ｙ記憶用メモリＭ３からカウント値Ｙを読込む。ＣＰＵ１０１は、ステップＰ１１３における処理が終了した後、ステップＰ１１４を実行する。
【００７７】
ステップＰ１１４において、ＣＰＵ１０１は、カウント値Ｙに１を加算し、カウント値Ｙ記憶用メモリＭ３に上書きする。ＣＰＵ１０１は、ステップＰ１１４における処理が終了した後、ステップＰ１１５を実行する。
【００７８】
ステップＰ１１５において、ＣＰＵ１０１は、印刷物のＹ方向の画素数Ｙｍａｘ記憶用メモリＭ７から印刷物のＹ方向の画素数Ｙｍａｘを読込む。ＣＰＵ１０１は、ステップＰ１１５における処理が終了した後、ステップＰ１１６を実行する。
【００７９】
ステップＰ１１６において、ＣＰＵ１０１は、カウント値Ｙ記憶用メモリＭ３からカウント値Ｙを読込む。ＣＰＵ１０１は、ステップＰ１１６における処理が終了した後、ステップＰ１１７を実行する。
【００８０】
ステップＰ１１７において、ＣＰＵ１０１は、カウント値Ｙが印刷物のＹ方向の画素数Ｙｍａｘより大きいかどうか判断する。ＣＰＵ１０１は、カウント値Ｙが印刷物のＹ方向の画素数Ｙｍａｘより大きい場合、ステップＰ１１８を実行する。また、ＣＰＵ１０１は、カウント値Ｙが印刷物のＹ方向の画素数Ｙｍａｘより大きくない場合、ステップＰ１０２を実行する。
【００８１】
ステップＰ１１８において、ＣＰＵ１０１は、カウント値Ｙ記憶用メモリＭ３に、１を上書きする。ＣＰＵ１０１は、ステップＰ１１８における処理が終了した後、ステップＰ１１９を実行する。
【００８２】
ステップＰ１１９において、ＣＰＵ１０１は、カウント値Ｘ記憶用メモリＭ２に、１を上書きする。ＣＰＵ１０１は、ステップＰ１１９における処理が終了した後、ステップＰ１２０を実行する。
【００８３】
ステップＰ１２０において、ＣＰＵ１０１は、カウント値Ｘ記憶用メモリＭ２からカウント値Ｘを読込む。ＣＰＵ１０１は、ステップＰ１２０における処理が終了した後、ステップＰ１２１を実行する。
【００８４】
ステップＰ１２１において、ＣＰＵ１０１は、カウント値Ｙ記憶用メモリＭ３からカウント値Ｙを読込む。ＣＰＵ１０１は、ステップＰ１２１における処理が終了した後、ステップＰ１２２を実行する。
【００８５】
ステップＰ１２２において、ＣＰＵ１０１は、表示用ＣＭＹＫデータ記憶用メモリＭ５の（Ｘ、Ｙ）のアドレス位置より、（Ｘ、Ｙ）の位置のＣＭＹＫデータを読込む。ＣＰＵ１０１は、ステップＰ１２２における処理が終了した後、ステップＰ１２３を実行する。
【００８６】
ステップＰ１２３において、ＣＰＵ１０１は、（Ｘ、Ｙ）の位置のＣＭＹＫデータより（Ｘ、Ｙ）の位置のＲＧＢデータを求め、印刷物表示用データ記憶用メモリＭ８の（Ｘ、Ｙ）のアドレス位置に書込む。ＣＰＵ１０１は、ステップＰ１２３における処理が終了した後、ステップＰ１２４を実行する。
【００８７】
ステップＰ１２４において、ＣＰＵ１０１は、表示器１１９の色調調整領域指定画面１の色調調整領域指定部２の（Ｘ、Ｙ）の位置に、（Ｘ、Ｙ）の位置のＲＧＢデータを表示
する。ＣＰＵ１０１は、ステップＰ１２４における処理が終了した後、ステップＰ１２５を実行する。
【００８８】
ステップＰ１２５において、ＣＰＵ１０１は、カウント値Ｘ記憶用メモリＭ２からカウント値Ｘを読込む。ＣＰＵ１０１は、ステップＰ１２５における処理が終了した後、ステップＰ１２６を実行する。
【００８９】
ステップＰ１２６において、ＣＰＵ１０１は、カウント値Ｘに１を加算し、カウント値Ｘ記憶用メモリＭ２に上書きする。ＣＰＵ１０１は、ステップＰ１２６における処理が終了した後、ステップＰ１２７を実行する。
【００９０】
ステップＰ１２７において、ＣＰＵ１０１は、印刷物のＸ方向の画素数Ｘｍａｘ記憶用メモリＭ６から印刷物のＸ方向の画素数Ｘｍａｘを読込む。ＣＰＵ１０１は、ステップＰ１２７における処理が終了した後、ステップＰ１２８を実行する。
【００９１】
ステップＰ１２８において、ＣＰＵ１０１は、カウント値Ｘ記憶用メモリＭ２からカウント値Ｘを読込む。ＣＰＵ１０１は、ステップＰ１２８における処理が終了した後、ステップＰ１２９を実行する。
【００９２】
ステップＰ１２９において、ＣＰＵ１０１は、カウント値Ｘが印刷物のＸ方向の画素数Ｘｍａｘより大きいかどうか判断する。ＣＰＵ１０１は、カウント値Ｘが印刷物のＸ方向の画素数Ｘｍａｘより大きい場合、ステップＰ１３０を実行する。また、ＣＰＵ１０１は、カウント値Ｘが印刷物のＸ方向の画素数Ｘｍａｘより大きくない場合、ステップＰ１２０を実行する。
【００９３】
ステップＰ１３０において、ＣＰＵ１０１は、カウント値Ｙ記憶用メモリＭ３からカウント値Ｙを読込む。ＣＰＵ１０１は、ステップＰ１３０における処理が終了した後、ステップＰ１３１を実行する。
【００９４】
ステップＰ１３１において、ＣＰＵ１０１は、カウント値Ｙに１を加算し、カウント値Ｙ記憶用メモリＭ３に上書きする。ＣＰＵ１０１は、ステップＰ１３１における処理が終了した後、ステップＰ１３２を実行する。
【００９５】
ステップＰ１３２において、ＣＰＵ１０１は、印刷物のＹ方向の画素数Ｙｍａｘ記憶用メモリＭ７から印刷物のＹ方向の画素数Ｙｍａｘを読込む。ＣＰＵ１０１は、ステップＰ１３２における処理が終了した後、ステップＰ１３３を実行する。
【００９６】
ステップＰ１３３において、ＣＰＵ１０１は、カウント値Ｙ記憶用メモリＭ３からカウント値Ｙを読込む。ＣＰＵ１０１は、ステップＰ１３３における処理が終了した後、ステップＰ１３４を実行する。
【００９７】
ステップＰ１３４において、ＣＰＵ１０１は、カウント値Ｙが印刷物のＹ方向の画素数Ｙｍａｘより大きいかどうか判断する。ＣＰＵ１０１は、カウント値Ｙが印刷物のＹ方向の画素数Ｙｍａｘより大きい場合、ステップＰ１３５を実行する。また、ＣＰＵ１０１は、カウント値Ｙが印刷物のＹ方向の画素数Ｙｍａｘより大きくない場合、ステップＰ１１９を実行する。
【００９８】
以上の動作フローによって、Ｆ・Ｄドライブ１２０よりＰＰＦデータを読込み、読み込んだＰＰＦデータを基に表示器１１９に印刷物の絵柄を表示する。なお、ここでのＸ方向は、印刷物の絵柄の左端が基準位置で右方向に大きくなり、Ｙ方向は絵柄の上端が基準位置で下方向に大きくなる。
【００９９】
図１２Ａ〜図１２Ｆに示すように、ステップＰ１３５において、ＣＰＵ１０１は、マウスポインタがオペレータによりＯＮにされているかどうか判断する。ＣＰＵ１０１は、マウスポインタがＯＮにされている場合、ステップＰ１３６を実行する。また、ＣＰＵ１０１は、マウスポインタがＯＮにされていない場合、ステップＰ１３５を再度実行する。
【０１００】
ステップＰ１３６において、ＣＰＵ１０１は、表示器１１９上のカーソル位置（Ｘｓ、Ｙｓ）を読込み、ポインタ位置（Ｘｓ、Ｙｓ）記憶用メモリＭ９に記憶する。ＣＰＵ１０１は、ステップＰ１３６における処理が終了した後、ステップＰ１３７を実行する。
【０１０１】
ステップＰ１３７において、ＣＰＵ１０１は、マウス１０５より、Ｘ方向及びＹ方向の移動距離（Ｘｄ、Ｙｄ）が送信されているかどうか判断する。ＣＰＵ１０１は、マウス１０５より、Ｘ方向及びＹ方向の移動距離（Ｘｄ、Ｙｄ）が送信されている場合、ステップＰ１３８を実行する。また、ＣＰＵ１０１は、マウス１０５より、Ｘ方向及びＹ方向の移動距離（Ｘｄ、Ｙｄ）が送信されていない場合、ステップＰ１３７を再度実行する。
【０１０２】
ステップＰ１３８において、ＣＰＵ１０１は、マウス１０５より、マウス１０５がドラッグされた距離（Ｘｄ、Ｙｄ）を受信し、マウスがドラッグされた距離（Ｘｄ、Ｙｄ）記憶用メモリＭ１０に記憶する。ＣＰＵ１０１は、ステップＰ１３８における処理が終了した後、ステップＰ１３９を実行する。
【０１０３】
ステップＰ１３９において、ＣＰＵ１０１は、ポインタ位置（Ｘｓ、Ｙｓ）記憶用メモリＭ９からＸ方向のポインタ位置Ｘｓを読込む。ＣＰＵ１０１は、ステップＰ１３９における処理が終了した後、ステップＰ１４０を実行する。
【０１０４】
ステップＰ１４０において、ＣＰＵ１０１は、マウスがドラッグされた距離（Ｘｄ、Ｙｄ）記憶用メモリＭ１０からマウス１０５がドラッグされたＸ方向の距離Ｘｄを読込む。ＣＰＵ１０１は、ステップＰ１４０における処理が終了した後、ステップＰ１４１を実行する。
【０１０５】
ステップＰ１４１において、ＣＰＵ１０１は、Ｘ方向のポインタ位置Ｘｓにマウス１０５がドラッグされたＸ方向の距離Ｘｄを加算し、選択範囲のＸ方向の終端位置Ｘｅを演算し、選択範囲の終端位置（Ｘｅ、Ｙｅ）記憶用メモリＭ１１に記憶する。ＣＰＵ１０１は、ステップＰ１４１における処理が終了した後、ステップＰ１４２を実行する。
【０１０６】
ステップＰ１４２において、ＣＰＵ１０１は、ポインタ位置（Ｘｓ、Ｙｓ）記憶用メモリＭ９からＹ方向のポインタ位置Ｙｓを読込む。ＣＰＵ１０１は、ステップＰ１４２における処理が終了した後、ステップＰ１４３を実行する。
【０１０７】
ステップＰ１４３において、ＣＰＵ１０１は、マウスがドラッグされた距離（Ｘｄ、Ｙｄ）記憶用メモリＭ１０からマウス１０５がドラッグされたＹ方向の距離Ｙｄを読込む。ＣＰＵ１０１は、ステップＰ１４３における処理が終了した後、ステップＰ１４４を実行する。
【０１０８】
ステップＰ１４４において、ＣＰＵ１０１は、Ｙ方向のポインタ位置Ｙｓにマウス１０５がドラッグされたＹ方向の距離Ｙｄを加算し、選択範囲のＹ方向の終端位置Ｙｅ演算し、選択範囲の終端位置（Ｘｅ、Ｙｅ）記憶用メモリＭ１１に記憶する。ＣＰＵ１０１は、ステップＰ１４４における処理が終了した後、ステップＰ１４５を実行する。
【０１０９】
ステップＰ１４５において、ＣＰＵ１０１は、ポインタ位置（Ｘｓ、Ｙｓ）記憶用メモリＭ９からＸ方向のポインタ位置Ｘｓを読込む。ＣＰＵ１０１は、ステップＰ１４５における処理が終了した後、ステップＰ１４６を実行する。
【０１１０】
ステップＰ１４６において、ＣＰＵ１０１は、カウント値Ｘ記憶用メモリＭ２に、Ｘ方向のポインタ位置Ｘｓを上書きする。ＣＰＵ１０１は、ステップＰ１４６における処理が終了した後、ステップＰ１４７を実行する。
【０１１１】
ステップＰ１４７において、ＣＰＵ１０１は、ポインタ位置（Ｘｓ、Ｙｓ）記憶用メモリＭ９からＹ方向のポインタ位置Ｙｓを読込む。ＣＰＵ１０１は、ステップＰ１４７における処理が終了した後、ステップＰ１４８を実行する。
【０１１２】
ステップＰ１４８において、ＣＰＵ１０１は、カウント値Ｙ記憶用メモリＭ３に、Ｙ方向のポインタ位置Ｙｓを上書きする。ＣＰＵ１０１は、ステップＰ１４８における処理が終了した後、ステップＰ１４９を実行する。
【０１１３】
ステップＰ１４９において、ＣＰＵ１０１は、カウント値Ｙ記憶用メモリＭ３からカウント値Ｙを読込む。ＣＰＵ１０１は、ステップＰ１４９における処理が終了した後、ステップＰ１５０を実行する。
【０１１４】
ステップＰ１５０において、ＣＰＵ１０１は、カウント値Ｘ記憶用メモリＭ２からカウント値Ｘを読込む。ＣＰＵ１０１は、ステップＰ１５０における処理が終了した後、ステップＰ１５１を実行する。
【０１１５】
ステップＰ１５１において、ＣＰＵ１０１は、表示器１１９の色調調整領域指定画面１の色調調整領域指定部２の（Ｘ、Ｙ）位置に、選択範囲の表示を表示する。ＣＰＵ１０１は、ステップＰ１５１における処理が終了した後、ステップＰ１５２を実行する。
【０１１６】
ステップＰ１５２において、ＣＰＵ１０１は、カウント値Ｘ記憶用メモリＭ２からカウント値Ｘを読込む。ＣＰＵ１０１は、ステップＰ１５２における処理が終了した後、ステップＰ１５３を実行する。
【０１１７】
ステップＰ１５３において、ＣＰＵ１０１は、カウント値Ｘに１を加算し、カウント値Ｘ記憶用メモリＭ２に上書きする。ＣＰＵ１０１は、ステップＰ１５３における処理が終了した後、ステップＰ１５４を実行する。
【０１１８】
ステップＰ１５４において、ＣＰＵ１０１は、選択範囲の終端位置（Ｘｅ、Ｙｅ）記憶用メモリＭ１１から選択範囲のＸ方向の終端位置Ｘｅを読込む。ＣＰＵ１０１は、ステップＰ１５４における処理が終了した後、ステップＰ１５５を実行する。
【０１１９】
ステップＰ１５５において、ＣＰＵ１０１は、カウント値Ｘ記憶用メモリＭ２からカウント値Ｘを読込む。ＣＰＵ１０１は、ステップＰ１５５における処理が終了した後、ステップＰ１５６を実行する。
【０１２０】
ステップＰ１５６において、ＣＰＵ１０１は、カウント値Ｘが選択範囲のＸ方向の終端位置Ｘｅより大きいかどうか判断する。ＣＰＵ１０１は、カウント値Ｘが選択範囲のＸ方向の終端位置Ｘｅより大きい場合、ステップＰ１５７を実行する。また、ＣＰＵ１０１は、カウント値Ｘが選択範囲のＸ方向の終端位置Ｘｅより大きくない場合、ステップＰ１４９を実行する。
【０１２１】
ステップＰ１５７において、ＣＰＵ１０１は、ポインタ位置（Ｘｓ、Ｙｓ）記憶用メモリＭ９からＸ方向のポインタ位置Ｘｓを読込む。ＣＰＵ１０１は、ステップＰ１５７における処理が終了した後、ステップＰ１５８を実行する。
【０１２２】
ステップＰ１５８において、ＣＰＵ１０１は、カウント値Ｘ記憶用メモリＭ２に、Ｘｓを上書きする。ＣＰＵ１０１は、ステップＰ１５８における処理が終了した後、ステップＰ１５９を実行する。
【０１２３】
ステップＰ１５９において、ＣＰＵ１０１は、ポインタ位置（Ｘｓ、Ｙｓ）記憶用メモリＭ９からＹ方向のポインタ位置Ｙｓを読込む。ＣＰＵ１０１は、ステップＰ１５９における処理が終了した後、ステップＰ１６０を実行する。
【０１２４】
ステップＰ１６０において、ＣＰＵ１０１は、カウント値Ｙ記憶用メモリＭ３に、Ｙｓを上書きする。ＣＰＵ１０１は、ステップＰ１６０における処理が終了した後、ステップＰ１６１を実行する。
【０１２５】
ステップＰ１６１において、ＣＰＵ１０１は、カウント値Ｙ記憶用メモリＭ３からカウント値Ｙを読込む。ＣＰＵ１０１は、ステップＰ１６１における処理が終了した後、ステップＰ１６２を実行する。
【０１２６】
ステップＰ１６２において、ＣＰＵ１０１は、カウント値Ｘ記憶用メモリＭ２からカウント値Ｘを読込む。ＣＰＵ１０１は、ステップＰ１６２における処理が終了した後、ステップＰ１６３を実行する。
【０１２７】
ステップＰ１６３において、ＣＰＵ１０１は、表示器１１９の色調調整領域指定画面１の色調調整領域指定部２の（Ｘ、Ｙ）位置に、選択範囲の表示を表示する。ＣＰＵ１０１は、ステップＰ１６３における処理が終了した後、ステップＰ１６４を実行する。
【０１２８】
ステップＰ１６４において、ＣＰＵ１０１は、カウント値Ｙ記憶用メモリＭ３からカウント値Ｙを読込む。ＣＰＵ１０１は、ステップＰ１６４における処理が終了した後、ステップＰ１６５を実行する。
【０１２９】
ステップＰ１６５において、ＣＰＵ１０１は、カウント値Ｙに１を加算し、カウント値Ｙ記憶用メモリＭ３に上書きする。ＣＰＵ１０１は、ステップＰ１６５における処理が終了した後、ステップＰ１６６を実行する。
【０１３０】
ステップＰ１６６において、ＣＰＵ１０１は、選択範囲の終端位置（Ｘｅ、Ｙｅ）記憶用メモリＭ１１から選択範囲のＹ方向の終端位置Ｙｅを読込む。ＣＰＵ１０１は、ステップＰ１６６における処理が終了した後、ステップＰ１６７を実行する。
【０１３１】
ステップＰ１６７において、ＣＰＵ１０１は、カウント値Ｙ記憶用メモリＭ３からカウント値Ｙを読込む。ＣＰＵ１０１は、ステップＰ１６７における処理が終了した後、ステップＰ１６８を実行する。
【０１３２】
ステップＰ１６８において、ＣＰＵ１０１は、カウント値Ｙが選択範囲のＹ方向の終端位置Ｙｅより大きいかどうか判断する。ＣＰＵ１０１は、カウント値Ｙが選択範囲のＹ方向の終端位置Ｙｅより大きい場合、ステップＰ１６９を実行する。また、ＣＰＵ１０１は、カウント値Ｙが選択範囲のＹ方向の終端位置Ｙｅより大きくない場合、ステップＰ１６１を実行する。
【０１３３】
ステップＰ１６９において、ＣＰＵ１０１は、ポインタ位置（Ｘｓ、Ｙｓ）記憶用メモリＭ９からＸ方向のポインタ位置Ｘｓを読込む。ＣＰＵ１０１は、ステップＰ１６９における処理が終了した後、ステップＰ１７０を実行する。
【０１３４】
ステップＰ１７０において、ＣＰＵ１０１は、カウント値Ｘ記憶用メモリＭ２に、Ｘ方向のポインタ位置Ｘｓを上書きする。ＣＰＵ１０１は、ステップＰ１７０における処理が終了した後、ステップＰ１７１を実行する。
【０１３５】
ステップＰ１７１において、ＣＰＵ１０１は、選択範囲の終端位置（Ｘｅ、Ｙｅ）記憶用メモリＭ１１から選択範囲のＹ方向の終端位置Ｙｅを読込む。ＣＰＵ１０１は、ステップＰ１７１における処理が終了した後、ステップＰ１７２を実行する。
【０１３６】
ステップＰ１７２において、ＣＰＵ１０１は、カウント値Ｙ記憶用メモリＭ３に、選択範囲のＹ方向の終端位置Ｙｅを上書きする。ＣＰＵ１０１は、ステップＰ１７２における処理が終了した後、ステップＰ１７３を実行する。
【０１３７】
ステップＰ１７３において、ＣＰＵ１０１は、カウント値Ｙ記憶用メモリＭ３からカウント値Ｙを読込む。ＣＰＵ１０１は、ステップＰ１７３における処理が終了した後、ステップＰ１７４を実行する。
【０１３８】
ステップＰ１７４において、ＣＰＵ１０１は、カウント値Ｘ記憶用メモリＭ２からカウント値Ｘを読込む。ＣＰＵ１０１は、ステップＰ１７４における処理が終了した後、ステップＰ１７５を実行する。
【０１３９】
ステップＰ１７５において、ＣＰＵ１０１は、表示器１１９の色調調整領域指定画面１の色調調整領域指定部２の（Ｘ、Ｙ）位置に、選択範囲の表示を表示する。ＣＰＵ１０１は、ステップＰ１７５における処理が終了した後、ステップＰ１７６を実行する。
【０１４０】
ステップＰ１７６において、ＣＰＵ１０１は、カウント値Ｘ記憶用メモリＭ２からカウント値Ｘを読込む。ＣＰＵ１０１は、ステップＰ１７６における処理が終了した後、ステップＰ１７７を実行する。
【０１４１】
ステップＰ１７７において、ＣＰＵ１０１は、カウント値Ｘに１を加算し、カウント値Ｘ記憶用メモリＭ２に上書きする。ＣＰＵ１０１は、ステップＰ１７７における処理が終了した後、ステップＰ１７８を実行する。
【０１４２】
ステップＰ１７８において、ＣＰＵ１０１は、選択範囲の終端位置（Ｘｅ、Ｙｅ）記憶用メモリＭ１１から選択範囲のＸ方向の終端位置Ｘｅを読込む。ＣＰＵ１０１は、ステップＰ１７８における処理が終了した後、ステップＰ１７９を実行する。
【０１４３】
ステップＰ１７９において、ＣＰＵ１０１は、カウント値Ｘ記憶用メモリＭ２からカウント値Ｘを読込む。ＣＰＵ１０１は、ステップＰ１７９における処理が終了した後、ステップＰ１８０を実行する。
【０１４４】
ステップＰ１８０において、ＣＰＵ１０１は、カウント値Ｘが選択範囲のＸ方向の終端位置Ｘｅより大きいかどうか判断する。ＣＰＵ１０１は、カウント値Ｘが選択範囲のＸ方向の終端位置Ｘｅより大きい場合、ステップＰ１８１を実行する。また、ＣＰＵ１０１は、カウント値Ｘが選択範囲のＸ方向の終端位置Ｘｅより大きくない場合、ステップＰ１７３を実行する。
【０１４５】
ステップＰ１８１において、ＣＰＵ１０１は、選択範囲の終端位置（Ｘｅ、Ｙｅ）記憶用メモリＭ１１から選択範囲のＸ方向の終端位置Ｘｅを読込む。ＣＰＵ１０１は、ステップＰ１８１における処理が終了した後、ステップＰ１８２を実行する。
【０１４６】
ステップＰ１８２において、ＣＰＵ１０１は、カウント値Ｘ記憶用メモリＭ２に、選択範囲のＸ方向の終端位置Ｘｅを上書きする。ＣＰＵ１０１は、ステップＰ１８２における処理が終了した後、ステップＰ１８３を実行する。
【０１４７】
ステップＰ１８３において、ＣＰＵ１０１は、ポインタ位置（Ｘｓ、Ｙｓ）記憶用メモリＭ９からＹ方向のポインタ位置Ｙｓを読込む。ＣＰＵ１０１は、ステップＰ１８３における処理が終了した後、ステップＰ１８４を実行する。
【０１４８】
ステップＰ１８４において、ＣＰＵ１０１は、カウント値Ｙ記憶用メモリＭ３に、Ｙ方向のポインタ位置Ｙｓを上書きする。ＣＰＵ１０１は、ステップＰ１８４における処理が終了した後、ステップＰ１８５を実行する。
【０１４９】
ステップＰ１８５において、ＣＰＵ１０１は、カウント値Ｙ記憶用メモリＭ３からカウント値Ｙを読込む。ＣＰＵ１０１は、ステップＰ１８５における処理が終了した後、ステップＰ１８６を実行する。
【０１５０】
ステップＰ１８６において、ＣＰＵ１０１は、カウント値Ｘ記憶用メモリＭ２からカウント値Ｘを読込む。ＣＰＵ１０１は、ステップＰ１８６における処理が終了した後、ステップＰ１８７を実行する。
【０１５１】
ステップＰ１８７において、ＣＰＵ１０１は、表示器１１９の色調調整領域指定画面１の色調調整領域指定部２の（Ｘ、Ｙ）位置に、選択範囲の表示を表示する。ＣＰＵ１０１は、ステップＰ１８７における処理が終了した後、ステップＰ１８８を実行する。
【０１５２】
ステップＰ１８８において、ＣＰＵ１０１は、カウント値Ｙ記憶用メモリＭ３からカウント値Ｙを読込む。ＣＰＵ１０１は、ステップＰ１８８における処理が終了した後、ステップＰ１８９を実行する。
【０１５３】
ステップＰ１８９において、ＣＰＵ１０１は、カウント値Ｙに１を加算し、カウント値Ｙ記憶用メモリＭ３に上書きする。ＣＰＵ１０１は、ステップＰ１８９における処理が終了した後、ステップＰ１９０を実行する。
【０１５４】
ステップＰ１９０において、ＣＰＵ１０１は、選択範囲の終端位置（Ｘｅ、Ｙｅ）記憶用メモリＭ１１から選択範囲のＹ方向の終端位置Ｙｅを読込む。ＣＰＵ１０１は、ステップＰ１９０における処理が終了した後、ステップＰ１９１を実行する。
【０１５５】
ステップＰ１９１において、ＣＰＵ１０１は、カウント値Ｙ記憶用メモリＭ３からカウント値Ｙを読込む。ＣＰＵ１０１は、ステップＰ１９１における処理が終了した後、ステップＰ１９２を実行する。
【０１５６】
ステップＰ１９２において、ＣＰＵ１０１は、カウント値Ｙが選択範囲のＹ方向の終端位置Ｙｅより大きいかどうか判断する。ＣＰＵ１０１は、カウント値Ｙが選択範囲のＹ方向の終端位置Ｙｅより大きい場合、ステップＰ１９３を実行する。また、ＣＰＵ１０１は、カウント値Ｙが選択範囲のＹ方向の終端位置Ｙｅより大きくない場合、ステップＰ１８５を実行する。
【０１５７】
ステップＰ１９３において、ＣＰＵ１０１は、選択範囲確定スイッチ１０７がオペレータによりＯＮにされているかどうか判断する。ＣＰＵ１０１は、選択範囲確定スイッチ１０７がＯＮにされている場合、ステップＰ１９４を実行する。また、ＣＰＵ１０１は、選択範囲確定スイッチ１０７がＯＮにされていない場合、ステップＰ１３５を実行する。
【０１５８】
以上の動作フローによって、図１に示すように、色調調整領域指定部２にマウス１０５で選択された範囲がカーソル１０で表示され、色調調整領域が選択される。なお、選択範囲確定スイッチ１０７は、図１に示すセットスイッチ１２に対応する。
【０１５９】
ステップＰ１９４において、ＣＰＵ１０１は、ポインタ位置（Ｘｓ、Ｙｓ）記憶用メモリＭ９からポインタ位置（Ｘｓ、Ｙｓ）を読込む。ＣＰＵ１０１は、ステップＰ１９４における処理が終了した後、ステップＰ１９５を実行する。
【０１６０】
ステップＰ１９５において、ＣＰＵ１０１は、色調調整用表示開始位置（Ｘｓ、Ｙｓ）記憶用メモリＭ１２に、ポインタ位置（Ｘｓ、Ｙｓ）を書込む。ＣＰＵ１０１は、ステップＰ１９５における処理が終了した後、ステップＰ１９６を実行する。
【０１６１】
ステップＰ１９６において、ＣＰＵ１０１は、選択範囲の終端位置（Ｘｅ、Ｙｅ）記憶用メモリＭ１１から選択範囲の終端位置（Ｘｅ、Ｙｅ）を読込む。ＣＰＵ１０１は、ステップＰ１９６における処理が終了した後、ステップＰ１９７を実行する。
【０１６２】
ステップＰ１９７において、ＣＰＵ１０１は、色調調整用表示終了位置（Ｘｅ、Ｙｅ）記憶用メモリＭ１３に、選択範囲の終端位置（Ｘｅ、Ｙｅ）を書込む。ＣＰＵ１０１は、ステップＰ１９７における処理が終了した後、ステップＰ１９８を実行する。
【０１６３】
ステップＰ１９８において、ＣＰＵ１０１は、色調調整用表示開始位置（Ｘｓ、Ｙｓ）記憶用メモリＭ１２からＹ方向の色調調整用表示開始位置Ｙｓを読込む。ＣＰＵ１０１は、ステップＰ１９８における処理が終了した後、ステップＰ１９９を実行する。
【０１６４】
ステップＰ１９９において、ＣＰＵ１０１は、色調調整用表示終了位置（Ｘｅ、Ｙｅ）記憶用メモリＭ１３からＹ方向の色調調整用表示終了位置Ｙｅを読込む。ＣＰＵ１０１は、ステップＰ１９９における処理が終了した後、ステップＰ２００を実行する。
【０１６５】
ステップＰ２００において、ＣＰＵ１０１は、Ｙ方向の色調調整用表示終了位置ＹｅよりＹ方向の色調調整用表示開始位置Ｙｓを減算し、色調調整用表示範囲のＹ方向の画素数を求め、色調調整用表示範囲のＹ方向の画素数記憶用メモリＭ１４に記憶する。ＣＰＵ１０１は、ステップＰ２００における処理が終了した後、ステップＰ２０１を実行する。
【０１６６】
ステップＰ２０１において、ＣＰＵ１０１は、色調調整用表示開始位置（Ｘｓ、Ｙｓ）記憶用メモリＭ１２からＸ方向の色調調整用表示開始位置Ｘｓを読込む。ＣＰＵ１０１は、ステップＰ２０１における処理が終了した後、ステップＰ２０２を実行する。
【０１６７】
ステップＰ２０２において、ＣＰＵ１０１は、色調調整用表示終了位置（Ｘｅ、Ｙｅ）記憶用メモリＭ１３からＸ方向の色調調整用表示終了位置Ｘｅを読込む。ＣＰＵ１０１は、ステップＰ２０２における処理が終了した後、ステップＰ２０３を実行する。
【０１６８】
ステップＰ２０３において、ＣＰＵ１０１は、Ｘ方向の色調調整用表示終了位置ＸｅよりＸ方向の色調調整用表示開始位置Ｘｓを減算し、色調調整用表示範囲のＸ方向の画素数を求め、色調調整用表示範囲のＸ方向の画素数記憶用メモリＭ１５に記憶する。ＣＰＵ１０１は、ステップＰ２０３における処理が終了した後、ステップＰ２０４を実行する。
【０１６９】
図１３Ａ〜図１３Ｇに示すように、ステップＰ２０４において、ＣＰＵ１０１は、色調調整用表示開始位置（Ｘｓ、Ｙｓ）記憶用メモリＭ１２からＸ方向の色調調整用表示開始位置Ｘｓを読込む。ＣＰＵ１０１は、ステップＰ２０４における処理が終了した後、ステップＰ２０５を実行する。
【０１７０】
ステップＰ２０５において、ＣＰＵ１０１は、カウント値Ｘ記憶用メモリＭ２に、Ｘ方向の色調調整用表示開始位置Ｘｓを上書きする。ＣＰＵ１０１は、ステップＰ２０５における処理が終了した後、ステップＰ２０６を実行する。
【０１７１】
ステップＰ２０６において、ＣＰＵ１０１は、色調調整用表示開始位置（Ｘｓ、Ｙｓ）記憶用メモリＭ１２からＹ方向の色調調整用表示開始位置Ｙｓを読込む。ＣＰＵ１０１は、ステップＰ２０６における処理が終了した後、ステップＰ２０７を実行する。
【０１７２】
ステップＰ２０７において、ＣＰＵ１０１は、カウント値Ｙ記憶用メモリＭ３に、Ｙ方向の色調調整用表示開始位置Ｙｓを上書きする。ＣＰＵ１０１は、ステップＰ２０７における処理が終了した後、ステップＰ２０８を実行する。
【０１７３】
ステップＰ２０８において、ＣＰＵ１０１は、カウント値Ｌ記憶用メモリＭ１６に、１を上書きする。ＣＰＵ１０１は、ステップＰ２０８における処理が終了した後、ステップＰ２０９を実行する。
【０１７４】
ステップＰ２０９において、ＣＰＵ１０１は、カウント値Ｎ記憶用メモリＭ１に、１を上書きする。ＣＰＵ１０１は、ステップＰ２０９における処理が終了した後、ステップＰ２１０を実行する。
【０１７５】
ステップＰ２１０において、ＣＰＵ１０１は、カウント値Ｙ記憶用メモリＭ３からカウント値Ｙを読込む。ＣＰＵ１０１は、ステップＰ２１０における処理が終了した後、ステップＰ２１１を実行する。
【０１７６】
ステップＰ２１１において、ＣＰＵ１０１は、カウント値Ｘ記憶用メモリＭ２からカウント値Ｘを読込む。ＣＰＵ１０１は、ステップＰ２１１における処理が終了した後、ステップＰ２１１ａを実行する。
【０１７７】
ステップＰ２１１ａにおいて、ＣＰＵ１０１は、カウント値Ｎ記憶用メモリＭ１からカウント値Ｎを読込む。ＣＰＵ１０１は、ステップＰ２１１ａにおける処理が終了した後、ステップＰ２１１ｂを実行する。
【０１７８】
ステップＰ２１１ｂにおいて、ＣＰＵ１０１は、カウント値Ｌ記憶用メモリＭ１６からカウント値Ｌを読込む。ＣＰＵ１０１は、ステップＰ２１１ｂにおける処理が終了した後、ステップＰ２１２を実行する。
【０１７９】
ステップＰ２１２において、ＣＰＵ１０１は、表示用ＣＭＹＫデータ記憶用メモリＭ５の（Ｘ、Ｙ）のアドレス位置より、（Ｘ、Ｙ）の位置のＣＭＹＫデータを読込み、現在の色調表示用ＣＭＹＫデータ記憶用メモリＭ１７の（Ｌ、Ｎ）のアドレス位置に書込む。ＣＰＵ１０１は、ステップＰ２１２における処理が終了した後、ステップＰ２１３を実行する。
【０１８０】
ステップＰ２１３において、ＣＰＵ１０１は、カウント値Ｎ記憶用メモリＭ１からカウント値Ｎを読込む。ＣＰＵ１０１は、ステップＰ２１３における処理が終了した後、ステップＰ２１４を実行する。
【０１８１】
ステップＰ２１４において、ＣＰＵ１０１は、カウント値Ｎに１を加算し、カウント値Ｎ記憶用メモリＭ１に上書きする。ＣＰＵ１０１は、ステップＰ２１４における処理が終了した後、ステップＰ２１５を実行する。
【０１８２】
ステップＰ２１５において、ＣＰＵ１０１は、カウント値Ｙ記憶用メモリＭ３からカウント値Ｙを読込む。ＣＰＵ１０１は、ステップＰ２１５における処理が終了した後、ステップＰ２１６を実行する。
【０１８３】
ステップＰ２１６において、ＣＰＵ１０１は、カウント値Ｙに１を加算し、カウント値Ｙ記憶用メモリＭ３に上書きする。ＣＰＵ１０１は、ステップＰ２１６における処理が終了した後、ステップＰ２１７を実行する。
【０１８４】
ステップＰ２１７において、ＣＰＵ１０１は、色調調整用表示終了位置（Ｘｅ、Ｙｅ）記憶用メモリＭ１３からＹ方向の色調調整用表示終了位置Ｙｅを読込む。ＣＰＵ１０１は、ステップＰ２１７における処理が終了した後、ステップＰ２１８を実行する。
【０１８５】
ステップＰ２１８において、ＣＰＵ１０１は、カウント値Ｙ記憶用メモリＭ３からカウント値Ｙを読込む。ＣＰＵ１０１は、ステップＰ２１８における処理が終了した後、ステップＰ２１９を実行する。
【０１８６】
ステップＰ２１９において、ＣＰＵ１０１は、カウント値ＹがＹ方向の色調調整用表示終了位置Ｙｅより大きいかどうか判断する。ＣＰＵ１０１は、カウント値ＹがＹ方向の色調調整用表示終了位置Ｙｅより大きい場合、ステップＰ２２０を実行する。また、ＣＰＵ１０１は、カウント値ＹがＹ方向の色調調整用表示終了位置Ｙｅより大きくない場合、ステップＰ２１０を実行する。
【０１８７】
ステップＰ２２０において、ＣＰＵ１０１は、カウント値Ｌ記憶用メモリＭ１６からカウント値Ｌを読込む。ＣＰＵ１０１は、ステップＰ２２０における処理が終了した後、ステップＰ２２１を実行する。
【０１８８】
ステップＰ２２１において、ＣＰＵ１０１は、カウント値Ｌに１を加算し、カウント値Ｌ記憶用メモリＭ１６に上書きする。ＣＰＵ１０１は、ステップＰ２２１における処理が終了した後、ステップＰ２２２を実行する。
【０１８９】
ステップＰ２２２において、ＣＰＵ１０１は、カウント値Ｘ記憶用メモリＭ２からカウント値Ｘを読込む。ＣＰＵ１０１は、ステップＰ２２２における処理が終了した後、ステップＰ２２３を実行する。
【０１９０】
ステップＰ２２３において、ＣＰＵ１０１は、カウント値Ｘに１を加算し、カウント値Ｘ記憶用メモリＭ２に上書きする。ＣＰＵ１０１は、ステップＰ２２３における処理が終了した後、ステップＰ２２４を実行する。
【０１９１】
ステップＰ２２４において、ＣＰＵ１０１は、色調調整用表示終了位置（Ｘｅ、Ｙｅ）記憶用メモリＭ１３からＸ方向の色調調整用表示終了位置Ｘｅを読込む。ＣＰＵ１０１は、ステップＰ２２４における処理が終了した後、ステップＰ２２５を実行する。
【０１９２】
ステップＰ２２５において、ＣＰＵ１０１は、カウント値Ｘ記憶用メモリＭ２からカウント値Ｘを読込む。ＣＰＵ１０１は、ステップＰ２２５における処理が終了した後、ステップＰ２２６を実行する。
【０１９３】
ステップＰ２２６において、ＣＰＵ１０１は、カウント値ＸがＸ方向の色調調整用表示終了位置Ｘｅより大きいかどうか判断する。ＣＰＵ１０１は、カウント値ＸがＸ方向の色調調整用表示終了位置Ｘｅより大きい場合、ステップＰ２２７を実行する。また、ＣＰＵ１０１は、カウント値ＸがＸ方向の色調調整用表示終了位置Ｘｅより大きくない場合、ステップＰ２０９を実行する。
【０１９４】
ステップＰ２２７において、ＣＰＵ１０１は、カウント値Ｘ記憶用メモリＭ２に、１を上書きする。ＣＰＵ１０１は、ステップＰ２２７における処理が終了した後、ステップＰ２２８を実行する。
【０１９５】
ステップＰ２２８において、ＣＰＵ１０１は、カウント値Ｙ記憶用メモリＭ３に、１を上書きする。ＣＰＵ１０１は、ステップＰ２２８における処理が終了した後、ステップＰ２２９を実行する。
【０１９６】
ステップＰ２２９において、ＣＰＵ１０１は、カウント値Ｙ記憶用メモリＭ３からカウント値Ｙを読込む。ＣＰＵ１０１は、ステップＰ２２９における処理が終了した後、ステップＰ２３０を実行する。
【０１９７】
ステップＰ２３０において、ＣＰＵ１０１は、カウント値Ｘ記憶用メモリＭ２からカウント値Ｘを読込む。ＣＰＵ１０１は、ステップＰ２３０における処理が終了した後、ステップＰ２３１を実行する。
【０１９８】
ステップＰ２３１において、ＣＰＵ１０１は、現在の色調表示用ＣＭＹＫデータ記憶用メモリＭ１７の（Ｘ、Ｙ）のアドレス位置より、（Ｘ、Ｙ）の位置のＣＭＹＫデータを読込む。ＣＰＵ１０１は、ステップＰ２３１における処理が終了した後、ステップＰ２３２を実行する。
【０１９９】
ステップＰ２３２において、ＣＰＵ１０１は、（Ｘ、Ｙ）のアドレス位置のＣＭＹＫデータより（Ｘ、Ｙ）の位置のＲＧＢデータを求め、現在の色調表示用データ記憶用メモリＭ１８の（Ｘ、Ｙ）のアドレス位置に書込む。ＣＰＵ１０１は、ステップＰ２３２における処理が終了した後、ステップＰ２３３を実行する。
【０２００】
ステップＰ２３３において、ＣＰＵ１０１は、現在の色調表示用ＣＭＹＫデータ記憶用メモリＭ１７の（Ｘ、Ｙ）のＹデータ用のアドレス位置より、（Ｘ、Ｙ）の位置のＹデータを読込む。ＣＰＵ１０１は、ステップＰ２３３における処理が終了した後、ステップＰ２３４を実行する。
【０２０１】
ステップＰ２３４において、ＣＰＵ１０１は、Ｙデータの＋方向の補正値記憶用メモリＭ１９からＹデータの＋方向の補正値を読込む。ＣＰＵ１０１は、ステップＰ２３４における処理が終了した後、ステップＰ２３５を実行する。
【０２０２】
ステップＰ２３５において、ＣＰＵ１０１は、（Ｘ、Ｙ）の位置のＹデータにＹデータの＋方向の補正値を加算し、（Ｘ、Ｙ）の位置のＹｕｐ表示用のＹ＋データを演算し、Ｙ＋データ記憶用メモリＭ２０の（Ｘ、Ｙ）のアドレス位置に書込む。ＣＰＵ１０１は、ステップＰ２３５における処理が終了した後、ステップＰ２３６を実行する。
【０２０３】
ステップＰ２３６において、ＣＰＵ１０１は、現在の色調表示用ＣＭＹＫデータ記憶用メモリＭ１７の（Ｘ、Ｙ）のＣＭＫデータ用のアドレス位置より、（Ｘ、Ｙ）の位置のＣＭＫデータを読込む。ＣＰＵ１０１は、ステップＰ２３６における処理が終了した後、ステップＰ２３７を実行する。
【０２０４】
ステップＰ２３７において、ＣＰＵ１０１は、Ｙ＋データ記憶用メモリＭ２０の（Ｘ、Ｙ）のアドレス位置より、（Ｘ、Ｙ）の位置のＹ＋データを読込む。ＣＰＵ１０１は、ステップＰ２３７における処理が終了した後、ステップＰ２３８を実行する。
【０２０５】
ステップＰ２３８において、ＣＰＵ１０１は、（Ｘ、Ｙ）の位置のＣＭＫデータ及びＹ＋データを組合わせ、Ｙｕｐ表示部用ＣＭＹＫデータ記憶用メモリＭ２１の（Ｘ、Ｙ）のアドレス位置に（ＣＭＹ＋Ｋ）データを書込む。ＣＰＵ１０１は、ステップＰ２３８における処理が終了した後、ステップＰ２３９を実行する。
【０２０６】
ステップＰ２３９において、ＣＰＵ１０１は、現在の色調表示用ＣＭＹＫデータ記憶用メモリＭ１７の（Ｘ、Ｙ）のＹデータ用のアドレス位置より、（Ｘ、Ｙ）の位置のＹデータを読込む。ＣＰＵ１０１は、ステップＰ２３９における処理が終了した後、ステップＰ２４０を実行する。
【０２０７】
ステップＰ２４０において、ＣＰＵ１０１は、Ｙデータの−方向の補正値記憶用メモリＭ２２からＹデータの−方向の補正値を読込む。ＣＰＵ１０１は、ステップＰ２４０における処理が終了した後、ステップＰ２４１を実行する。
【０２０８】
ステップＰ２４１において、ＣＰＵ１０１は、（Ｘ、Ｙ）の位置の画素のＹデータからＹデータの−方向の補正値を減算し、（Ｘ、Ｙ）の位置のＹｄｏｗｎ表示用のＹ−データを演算し、Ｙ−データ記憶用メモリＭ２３の（Ｘ、Ｙ）のアドレス位置に書込む。ＣＰＵ１０１は、ステップＰ２４１における処理が終了した後、ステップＰ２４２を実行する。
【０２０９】
ステップＰ２４２において、ＣＰＵ１０１は、現在の色調表示用ＣＭＹＫデータ記憶用メモリＭ１７の（Ｘ、Ｙ）のＣＭＫデータ用のアドレス位置より、（Ｘ、Ｙ）の位置のＣＭＫデータを読込む。ＣＰＵ１０１は、ステップＰ２４２における処理が終了した後、ステップＰ２４３を実行する。
【０２１０】
ステップＰ２４３において、ＣＰＵ１０１は、Ｙ−データ記憶用メモリＭ２３の（Ｘ、Ｙ）のアドレス位置より、（Ｘ、Ｙ）の位置のＹ−データを読込む。ＣＰＵ１０１は、ステップＰ２４３における処理が終了した後、ステップＰ２４４を実行する。
【０２１１】
ステップＰ２４４において、ＣＰＵ１０１は、（Ｘ、Ｙ）の位置のＣＭＫデータ及びＹ−データを組合わせ、Ｙｄｏｗｎ表示部用ＣＭＹＫデータ記憶用メモリＭ２４の（Ｘ、Ｙ）のアドレス位置に（ＣＭＹ−Ｋ）データを書込む。ＣＰＵ１０１は、ステップＰ２４４における処理が終了した後、ステップＰ２４５を実行する。
【０２１２】
ステップＰ２４５〜Ｐ２５６、ステップＰ２５７〜Ｐ２６８及びステップＰ２６９〜Ｐ２８０において、ＣＰＵ１０１は、それぞれＭ、Ｃ及びＫについて、ステップＰ２３３〜Ｐ２４４においてＹについて行った処理と同様の処理を実行する。ＣＰＵ１０１は、ステップＰ２８０における処理が終了した後、ステップＰ２８１を実行する。
【０２１３】
ステップＰ２８１において、ＣＰＵ１０１は、カウント値Ｙ記憶用メモリＭ３からカウント値Ｙを読込む。ＣＰＵ１０１は、ステップＰ２８１における処理が終了した後、ステップＰ２８２を実行する。
【０２１４】
ステップＰ２８２において、ＣＰＵ１０１は、カウント値Ｙに１を加算し、カウント値Ｙ記憶用メモリＭ３に上書きする。ＣＰＵ１０１は、ステップＰ２８２における処理が終了した後、ステップＰ２８３を実行する。
【０２１５】
ステップＰ２８３において、ＣＰＵ１０１は、色調調整用表示範囲のＹ方向の画素数記憶用メモリＭ１４から色調調整用表示範囲のＹ方向の画素数を読込む。ＣＰＵ１０１は、ステップＰ２８３における処理が終了した後、ステップＰ２８４を実行する。
【０２１６】
ステップＰ２８４において、ＣＰＵ１０１は、カウント値Ｙ記憶用メモリＭ３からカウント値Ｙを読込む。ＣＰＵ１０１は、ステップＰ２８４における処理が終了した後、ステップＰ２８５を実行する。
【０２１７】
ステップＰ２８５において、ＣＰＵ１０１は、カウント値Ｙが色調調整用表示範囲のＹ方向の画素数より大きいかどうか判断する。ＣＰＵ１０１は、カウント値Ｙが色調調整用表示範囲のＹ方向の画素数より大きい場合、ステップＰ２８６を実行する。また、ＣＰＵ１０１は、カウント値Ｙが色調調整用表示範囲のＹ方向の画素数より大きくない場合、ステップＰ２２９を実行する。
【０２１８】
ステップＰ２８６において、ＣＰＵ１０１は、カウント値Ｘ記憶用メモリＭ２からカウント値Ｘを読込む。ＣＰＵ１０１は、ステップＰ２８６における処理が終了した後、ステップＰ２８７を実行する。
【０２１９】
ステップＰ２８７において、ＣＰＵ１０１は、カウント値Ｘに１を加算し、カウント値Ｘ記憶用メモリＭ２に上書きする。ＣＰＵ１０１は、ステップＰ２８７における処理が終了した後、ステップＰ２８８を実行する。
【０２２０】
ステップＰ２８８において、ＣＰＵ１０１は、色調調整用表示範囲のＸ方向の画素数記憶用メモリＭ１５から色調調整用表示範囲のＸ方向の画素数を読込む。ＣＰＵ１０１は、ステップＰ２８８における処理が終了した後、ステップＰ２８９を実行する。
【０２２１】
ステップＰ２８９において、ＣＰＵ１０１は、カウント値Ｘ記憶用メモリＭ２からカウント値Ｘを読込む。ＣＰＵ１０１は、ステップＰ２８９における処理が終了した後、ステップＰ２９０を実行する。
【０２２２】
ステップＰ２９０において、ＣＰＵ１０１は、カウント値Ｘが色調調整用表示範囲のＸ方向の画素数より大きいかどうか判断する。ＣＰＵ１０１は、カウント値Ｘが色調調整用表示範囲のＸ方向の画素数より大きい場合、ステップＰ２９１を実行する。また、ＣＰＵ１０１は、カウント値Ｘが色調調整用表示範囲のＸ方向の画素数より大きくない場合、ステップＰ２２８を実行する。
【０２２３】
図１４Ａ〜図１４Ｆに示すように、ステップＰ２９１において、ＣＰＵ１０１は、カウント値Ｘ記憶用メモリＭ２に、１を上書きする。ＣＰＵ１０１は、ステップＰ２９１における処理が終了した後、ステップＰ２９２を実行する。
【０２２４】
ステップＰ２９２において、ＣＰＵ１０１は、カウント値Ｙ記憶用メモリＭ３に、１を上書きする。ＣＰＵ１０１は、ステップＰ２９２における処理が終了した後、ステップＰ２９３を実行する。
【０２２５】
ステップＰ２９３において、ＣＰＵ１０１は、カウント値Ｙ記憶用メモリＭ３からカウント値Ｙを読込む。ＣＰＵ１０１は、ステップＰ２９３における処理が終了した後、ステップＰ２９４を実行する。
【０２２６】
ステップＰ２９４において、ＣＰＵ１０１は、カウント値Ｘ記憶用メモリＭ２からカウント値Ｘを読込む。ＣＰＵ１０１は、ステップＰ２９４における処理が終了した後、ステップＰ２９５を実行する。
【０２２７】
ステップＰ２９５において、ＣＰＵ１０１は、現在の色調表示用データ記憶用メモリＭ１８の（Ｘ、Ｙ）のアドレス位置より、（Ｘ、Ｙ）の位置のＲＧＢデータを読込む。ＣＰＵ１０１は、ステップＰ２９５における処理が終了した後、ステップＰ２９６を実行する。
【０２２８】
ステップＰ２９６において、ＣＰＵ１０１は、表示器１１９の色調調整画面５の現在の色調表示部１６の（Ｘ、Ｙ）の位置に、（Ｘ、Ｙ）の位置のＲＧＢデータを表示する。ＣＰＵ１０１は、ステップＰ２９６における処理が終了した後、ステップＰ２９７を実行する。
【０２２９】
ステップＰ２９７において、ＣＰＵ１０１は、Ｙｕｐ表示部用ＣＭＹＫデータ記憶用メモリＭ２１の（Ｘ、Ｙ）のアドレス位置より、（Ｘ、Ｙ）の位置の（ＣＭＹ＋Ｋ）データを読込む。ＣＰＵ１０１は、ステップＰ２９７における処理が終了した後、ステップＰ２９８を実行する。
【０２３０】
ステップＰ２９８において、ＣＰＵ１０１は、（Ｘ、Ｙ）の位置の（ＣＭＹ＋Ｋ）データより、Ｙｕｐ表示部の（Ｘ、Ｙ）の位置のＲＧＢデータを演算し、Ｙｕｐ表示部用データ記憶用メモリＭ４３の（Ｘ、Ｙ）のアドレス位置に書込む。ＣＰＵ１０１は、ステップＰ２９８における処理が終了した後、ステップＰ２９９を実行する。
【０２３１】
ステップＰ２９９において、ＣＰＵ１０１は、表示器１１９の色調調整画面５のＹｕｐ表示部１８の（Ｘ、Ｙ）の位置に、Ｙｕｐ表示部の（Ｘ、Ｙ）の位置のＲＧＢデータを表示する。ＣＰＵ１０１は、ステップＰ２９９における処理が終了した後、ステップＰ３００を実行する。
【０２３２】
ステップＰ３００において、ＣＰＵ１０１は、Ｙｄｏｗｎ表示部用ＣＭＹＫデータ記憶用メモリＭ２４の（Ｘ、Ｙ）のアドレス位置より、（Ｘ、Ｙ）の位置の（ＣＭＹ−Ｋ）データを読込む。ＣＰＵ１０１は、ステップＰ３００における処理が終了した後、ステップＰ３０１を実行する。
【０２３３】
ステップＰ３０１において、ＣＰＵ１０１は、（Ｘ、Ｙ）の位置の（ＣＭＹ−Ｋ）データより、Ｙｄｏｗｎ表示部の（Ｘ、Ｙ）の位置のＲＧＢデータを演算し、Ｙｄｏｗｎ表示部用データ記憶用メモリＭ４４の（Ｘ、Ｙ）のアドレス位置に書込む。ＣＰＵ１０１は、ステップＰ３０１における処理が終了した後、ステップＰ３０２を実行する。
【０２３４】
ステップＰ３０２において、ＣＰＵ１０１は、表示器１１９の色調調整画面５のＹｄｏｗｎ表示部２２の（Ｘ、Ｙ）の位置に、Ｙｄｏｗｎ表示部の（Ｘ、Ｙ）の位置のＲＧＢデータを表示する。ＣＰＵ１０１は、ステップＰ３０２における処理が終了した後、ステップＰ３０３を実行する。
【０２３５】
ステップＰ３０３〜Ｐ３０８、ステップＰ３０９〜Ｐ３１４及びステップＰ３１５〜Ｐ３２０において、ＣＰＵ１０１は、それぞれＭ、Ｃ及びＫについて、ステップＰ２９７〜Ｐ３０２においてＹについて行った処理と同様の処理を実行する。ＣＰＵ１０１は、ステップＰ３２０における処理が終了した後、ステップＰ３２１を実行する。
【０２３６】
ステップＰ３２１において、ＣＰＵ１０１は、カウント値Ｙ記憶用メモリＭ３からカウント値Ｙを読込む。ＣＰＵ１０１は、ステップＰ３２１における処理が終了した後、ステップＰ３２２を実行する。
【０２３７】
ステップＰ３２２において、ＣＰＵ１０１は、カウント値Ｙに１を加算し、カウント値Ｙ記憶用メモリＭ３に上書きする。ＣＰＵ１０１は、ステップＰ３２２における処理が終了した後、ステップＰ３２３を実行する。
【０２３８】
ステップＰ３２３において、ＣＰＵ１０１は、色調調整用表示範囲のＹ方向の画素数記憶用メモリＭ１４から色調調整用表示範囲のＹ方向の画素数を読込む。ＣＰＵ１０１は、ステップＰ３２３における処理が終了した後、ステップＰ３２４を実行する。
【０２３９】
ステップＰ３２４において、ＣＰＵ１０１は、カウント値Ｙ記憶用メモリＭ３からカウント値Ｙを読込む。ＣＰＵ１０１は、ステップＰ３２４における処理が終了した後、ステップＰ３２５を実行する。
【０２４０】
ステップＰ３２５において、ＣＰＵ１０１は、カウント値Ｙが色調調整用表示範囲のＹ方向の画素数より大きいかどうか判断する。ＣＰＵ１０１は、カウント値Ｙが色調調整用表示範囲のＹ方向の画素数より大きい場合、ステップＰ３２６を実行する。また、ＣＰＵ１０１は、カウント値Ｙが色調調整用表示範囲のＹ方向の画素数より大きくない場合、ステップＰ２９３を実行する。
【０２４１】
ステップＰ３２６において、ＣＰＵ１０１は、カウント値Ｘ記憶用メモリＭ２からカウント値Ｘを読込む。ＣＰＵ１０１は、ステップＰ３２６における処理が終了した後、ステップＰ３２７を実行する。
【０２４２】
ステップＰ３２７において、ＣＰＵ１０１は、カウント値Ｘに１を加算し、カウント値Ｘ記憶用メモリＭ２に上書きする。ＣＰＵ１０１は、ステップＰ３２７における処理が終了した後、ステップＰ３２８を実行する。
【０２４３】
ステップＰ３２８において、ＣＰＵ１０１は、色調調整用表示範囲のＸ方向の画素数記憶用メモリＭ１５から色調調整用表示範囲のＸ方向の画素数を読込む。ＣＰＵ１０１は、ステップＰ３２８における処理が終了した後、ステップＰ３２９を実行する。
【０２４４】
ステップＰ３２９において、ＣＰＵ１０１は、カウント値Ｘ記憶用メモリＭ２からカウント値Ｘを読込む。ＣＰＵ１０１は、ステップＰ３２９における処理が終了した後、ステップＰ３３０を実行する。
【０２４５】
ステップＰ３３０において、ＣＰＵ１０１は、カウント値Ｘが色調調整用表示範囲のＸ方向の画素数より大きいかどうか判断する。ＣＰＵ１０１は、カウント値Ｘが色調調整用表示範囲のＸ方向の画素数より大きい場合、ステップＰ３３１を実行する。また、ＣＰＵ１０１は、カウント値Ｘが色調調整用表示範囲のＸ方向の画素数より大きくない場合、ステップＰ２９２を実行する。
【０２４６】
以上の動作フローによって、選択された範囲の印刷物の絵柄を図２に示す色調調整画面５の現在の色調表示部１６に表示すると共に、インキ供給量の調整の為のオペレータの指針として、前記選択された範囲の絵柄のＣＭＹＫをそれぞれ一定量調整した時の絵柄を、Ｙｕｐ表示部１８、Ｍｕｐ表示部１９、Ｃｕｐ表示部２０、Ｋｕｐ表示部２１、Ｙｄｏｗｎ表示部２２、Ｍｄｏｗｎ表示部２３、Ｃｄｏｗｎ表示部２４及びＫｄｏｗｎ表示部２５にそれぞれ表示する。
【０２４７】
ステップＰ３３１において、ＣＰＵ１０１は、現在の色調表示用ＣＭＹＫデータのＹデータの合計値記憶用メモリＭ５１に、ゼロを書込む。ＣＰＵ１０１は、ステップＰ３３１における処理が終了した後、ステップＰ３３２を実行する。
【０２４８】
ステップＰ３３２において、ＣＰＵ１０１は、現在の色調表示用ＣＭＹＫデータのＭデータの合計値記憶用メモリＭ５２に、ゼロを書込む。ＣＰＵ１０１は、ステップＰ３３２における処理が終了した後、ステップＰ３３３を実行する。
【０２４９】
ステップＰ３３３において、ＣＰＵ１０１は、現在の色調表示用ＣＭＹＫデータのＣデータの合計値記憶用メモリＭ５３に、ゼロを書込む。ＣＰＵ１０１は、ステップＰ３３３における処理が終了した後、ステップＰ３３４を実行する。
【０２５０】
ステップＰ３３４において、ＣＰＵ１０１は、現在の色調表示用ＣＭＹＫデータのＫデータの合計値記憶用メモリＭ５４に、ゼロを書込む。ＣＰＵ１０１は、ステップＰ３３４における処理が終了した後、ステップＰ３３５を実行する。
【０２５１】
ステップＰ３３５において、ＣＰＵ１０１は、カウント値Ｘ記憶用メモリＭ２に、１を上書きする。ＣＰＵ１０１は、ステップＰ３３５における処理が終了した後、ステップＰ３３６を実行する。
【０２５２】
ステップＰ３３６において、ＣＰＵ１０１は、カウント値Ｙ記憶用メモリＭ３に、１を上書きする。ＣＰＵ１０１は、ステップＰ３３６における処理が終了した後、ステップＰ３３７を実行する。
【０２５３】
ステップＰ３３７において、ＣＰＵ１０１は、カウント値Ｙ記憶用メモリＭ３からカウント値Ｙを読込む。ＣＰＵ１０１は、ステップＰ３３７における処理が終了した後、ステップＰ３３８を実行する。
【０２５４】
ステップＰ３３８において、ＣＰＵ１０１は、カウント値Ｘ記憶用メモリＭ２からカウント値Ｘを読込む。ＣＰＵ１０１は、ステップＰ３３８における処理が終了した後、ステップＰ３３９を実行する。
【０２５５】
ステップＰ３３９において、ＣＰＵ１０１は、現在の色調表示用ＣＭＹＫデータのＹデータの合計値記憶用メモリＭ５１から現在の色調表示用ＣＭＹＫデータのＹデータの合計値を読込む。ＣＰＵ１０１は、ステップＰ３３９における処理が終了した後、ステップＰ３４０を実行する。
【０２５６】
ステップＰ３４０において、ＣＰＵ１０１は、現在の色調表示用ＣＭＹＫデータ記憶用メモリＭ１７の（Ｘ、Ｙ）のＹデータ用のアドレス位置より、（Ｘ、Ｙ）の位置のＹデータを読込む。ＣＰＵ１０１は、ステップＰ３４０における処理が終了した後、ステップＰ３４１を実行する。
【０２５７】
ステップＰ３４１において、ＣＰＵ１０１は、現在の色調表示用ＣＭＹＫデータのＹデータの合計値に（Ｘ、Ｙ）の位置のＹデータを加算し、求めた値を現在の色調表示用ＣＭＹＫデータのＹデータの合計値記憶用メモリＭ５１に上書きする。ＣＰＵ１０１は、ステップＰ３４１における処理が終了した後、ステップＰ３４２を実行する。
【０２５８】
ステップＰ３４２において、ＣＰＵ１０１は、現在の色調表示用ＣＭＹＫデータのＭデータの合計値記憶用メモリＭ５２から現在の色調表示用ＣＭＹＫデータのＭデータの合計値を読込む。ＣＰＵ１０１は、ステップＰ３４２における処理が終了した後、ステップＰ３４３を実行する。
【０２５９】
ステップＰ３４３において、ＣＰＵ１０１は、現在の色調表示用ＣＭＹＫデータ記憶用メモリＭ１７の（Ｘ、Ｙ）のＭデータ用のアドレス位置より、（Ｘ、Ｙ）の位置のＭデータを読込む。ＣＰＵ１０１は、ステップＰ３４３における処理が終了した後、ステップＰ３４４を実行する。
【０２６０】
ステップＰ３４４において、ＣＰＵ１０１は、現在の色調表示用ＣＭＹＫデータのＭデータの合計値に（Ｘ、Ｙ）の位置のＭデータを加算し、求めた値を現在の色調表示用ＣＭＹＫデータのＭデータの合計値記憶用メモリＭ５２に上書きする。ＣＰＵ１０１は、ステップＰ３４４における処理が終了した後、ステップＰ３４５を実行する。
【０２６１】
ステップＰ３４５において、ＣＰＵ１０１は、現在の色調表示用ＣＭＹＫデータのＣデータの合計値記憶用メモリＭ５３から現在の色調表示用ＣＭＹＫデータのＣデータの合計値を読込む。ＣＰＵ１０１は、ステップＰ３４５における処理が終了した後、ステップＰ３４６を実行する。
【０２６２】
ステップＰ３４６において、ＣＰＵ１０１は、現在の色調表示用ＣＭＹＫデータ記憶用メモリＭ１７の（Ｘ、Ｙ）のＣデータ用のアドレス位置より、（Ｘ、Ｙ）の位置のＣデータを読込む。ＣＰＵ１０１は、ステップＰ３４６における処理が終了した後、ステップＰ３４７を実行する。
【０２６３】
ステップＰ３４７において、ＣＰＵ１０１は、現在の色調表示用ＣＭＹＫデータのＣデータの合計値に（Ｘ、Ｙ）の位置のＣデータを加算し、求めた値を現在の色調表示用ＣＭＹＫデータのＣデータの合計値記憶用メモリＭ５３に上書きする。ＣＰＵ１０１は、ステップＰ３４７における処理が終了した後、ステップＰ３４８を実行する。
【０２６４】
ステップＰ３４８において、ＣＰＵ１０１は、現在の色調表示用ＣＭＹＫデータのＫデータの合計値記憶用メモリＭ５４から現在の色調表示用ＣＭＹＫデータのＫデータの合計値を読込む。ＣＰＵ１０１は、ステップＰ３４８における処理が終了した後、ステップＰ３４９を実行する。
【０２６５】
ステップＰ３４９において、ＣＰＵ１０１は、現在の色調表示用ＣＭＹＫデータ記憶用メモリＭ１７の（Ｘ、Ｙ）のＫデータ用のアドレス位置より、（Ｘ、Ｙ）の位置のＫデータを読込む。ＣＰＵ１０１は、ステップＰ３４９における処理が終了した後、ステップＰ３５０を実行する。
【０２６６】
ステップＰ３５０において、ＣＰＵ１０１は、現在の色調表示用ＣＭＹＫデータのＫデータの合計値に（Ｘ、Ｙ）の位置のＫデータを加算し、求めた値を現在の色調表示用ＣＭＹＫデータのＫデータの合計値記憶用メモリＭ５４に上書きする。ＣＰＵ１０１は、ステップＰ３５０における処理が終了した後、ステップＰ３５１を実行する。
【０２６７】
ステップＰ３５１において、ＣＰＵ１０１は、カウント値Ｙ記憶用メモリＭ３からカウント値Ｙを読込む。ＣＰＵ１０１は、ステップＰ３５１における処理が終了した後、ステップＰ３５２を実行する。
【０２６８】
ステップＰ３５２において、ＣＰＵ１０１は、カウント値Ｙに１を加算し、カウント値Ｙ記憶用メモリＭ３に上書きする。ＣＰＵ１０１は、ステップＰ３５２における処理が終了した後、ステップＰ３５３を実行する。
【０２６９】
ステップＰ３５３において、ＣＰＵ１０１は、色調調整用表示範囲のＹ方向の画素数記憶用メモリＭ１４から色調調整用表示範囲のＹ方向の画素数を読込む。ＣＰＵ１０１は、ステップＰ３５３における処理が終了した後、ステップＰ３５４を実行する。
【０２７０】
ステップＰ３５４において、ＣＰＵ１０１は、カウント値Ｙ記憶用メモリＭ３からカウント値Ｙを読込む。ＣＰＵ１０１は、ステップＰ３５４における処理が終了した後、ステップＰ３５５を実行する。
【０２７１】
ステップＰ３５５において、ＣＰＵ１０１は、カウント値Ｙが色調調整用表示範囲のＹ方向の画素数より大きいかどうか判断する。ＣＰＵ１０１は、カウント値Ｙが色調調整用表示範囲のＹ方向の画素数より大きい場合、ステップＰ３５６を実行する。また、ＣＰＵ１０１は、カウント値Ｙが色調調整用表示範囲のＹ方向の画素数より大きくない場合、ステップＰ３３７を実行する。
【０２７２】
ステップＰ３５６において、ＣＰＵ１０１は、カウント値Ｘ記憶用メモリＭ２からカウント値Ｘを読込む。ＣＰＵ１０１は、ステップＰ３５６における処理が終了した後、ステップＰ３５７を実行する。
【０２７３】
ステップＰ３５７において、ＣＰＵ１０１は、カウント値Ｘに１を加算し、カウント値Ｘ記憶用メモリＭ２に上書きする。ＣＰＵ１０１は、ステップＰ３５７における処理が終了した後、ステップＰ３５８を実行する。
【０２７４】
ステップＰ３５８において、ＣＰＵ１０１は、色調調整用表示範囲のＸ方向の画素数記憶用メモリＭ１５から色調調整用表示範囲のＸ方向の画素数を読込む。ＣＰＵ１０１は、ステップＰ３５８における処理が終了した後、ステップＰ３５９を実行する。
【０２７５】
ステップＰ３５９において、ＣＰＵ１０１は、カウント値Ｘ記憶用メモリＭ２からカウント値Ｘを読込む。ＣＰＵ１０１は、ステップＰ３５９における処理が終了した後、ステップＰ３６０を実行する。
【０２７６】
ステップＰ３６０において、ＣＰＵ１０１は、カウント値Ｘが色調調整用表示範囲のＸ方向の画素数より大きいかどうか判断する。ＣＰＵ１０１は、カウント値Ｘが色調調整用表示範囲のＸ方向の画素数より大きい場合、ステップＰ３６１を実行する。また、ＣＰＵ１０１は、カウント値Ｘが色調調整用表示範囲のＸ方向の画素数より大きくない場合、ステップＰ３３６を実行する。
【０２７７】
図１５Ａ〜図１５Ｉに示すように、ステップＰ３６１において、ＣＰＵ１０１は、色調表示用ＣＭＹＫデータのＹデータの調整比率記憶用メモリＭ５５に、１を書込む。ＣＰＵ１０１は、ステップＰ３６１における処理が終了した後、ステップＰ３６２を実行する。
【０２７８】
ステップＰ３６２において、ＣＰＵ１０１は、色調表示用ＣＭＹＫデータのＭデータの調整比率記憶用メモリＭ５６に、１を書込む。ＣＰＵ１０１は、ステップＰ３６２における処理が終了した後、ステップＰ３６３を実行する。
【０２７９】
ステップＰ３６３において、ＣＰＵ１０１は、色調表示用ＣＭＹＫデータのＣデータの調整比率記憶用メモリＭ５７に、１を書込む。ＣＰＵ１０１は、ステップＰ３６３における処理が終了した後、ステップＰ３６４を実行する。
【０２８０】
ステップＰ３６４において、ＣＰＵ１０１は、色調表示用ＣＭＹＫデータのＫデータの調整比率記憶用メモリＭ５８に、１を書込む。ＣＰＵ１０１は、ステップＰ３６４における処理が終了した後、ステップＰ３６５を実行する。
【０２８１】
ステップＰ３６５において、ＣＰＵ１０１は、Ｙの調整量の合計値記憶用メモリＭ５９に、ゼロを書込む。ＣＰＵ１０１は、ステップＰ３６５における処理が終了した後、ステップＰ３６６を実行する。
【０２８２】
ステップＰ３６６において、ＣＰＵ１０１は、Ｍの調整量の合計値記憶用メモリＭ６０に、ゼロを書込む。ＣＰＵ１０１は、ステップＰ３６６における処理が終了した後、ステップＰ３６７を実行する。
【０２８３】
ステップＰ３６７において、ＣＰＵ１０１は、Ｃの調整量の合計値記憶用メモリＭ６１に、ゼロを書込む。ＣＰＵ１０１は、ステップＰ３６７における処理が終了した後、ステップＰ３６８を実行する。
【０２８４】
ステップＰ３６８において、ＣＰＵ１０１は、Ｋの調整量の合計値記憶用メモリＭ６２に、ゼロを書込む。ＣＰＵ１０１は、ステップＰ３６８における処理が終了した後、ステップＰ３６９を実行する。
【０２８５】
ステップＰ３６９において、ＣＰＵ１０１は、Ｙ増加スイッチ１０８がオペレータによりＯＮにされているかどうか判断する。ＣＰＵ１０１は、Ｙ増加スイッチ１０８がＯＮにされている場合、ステップＰ３７０を実行する。また、ＣＰＵ１０１は、Ｙ増加スイッチ１０８がＯＮにされていない場合、後述するステップＰ３８２を実行する。なお、Ｙ増加スイッチ１０８は、図２に示すＹｕｐスイッチ２６に対応する。
【０２８６】
ステップＰ３７０において、ＣＰＵ１０１は、時間計測用の内部クロック・カウンタ１２３に、イネーブル信号及びリセット信号を出力する。ＣＰＵ１０１は、ステップＰ３７０における処理が終了した後、ステップＰ３７１を実行する。
【０２８７】
ステップＰ３７１において、ＣＰＵ１０１は、時間計測用の内部クロック・カウンタ１２３へのリセット信号の出力を停止する。ＣＰＵ１０１は、ステップＰ３７１における処理が終了した後、ステップＰ３７２を実行する。
【０２８８】
ステップＰ３７２において、ＣＰＵ１０１は、Ｙ増加スイッチ１０８がオペレータによりＯＦＦにされているかどうか判断する。ＣＰＵ１０１は、Ｙ増加スイッチ１０８がＯＦＦにされている場合、ステップＰ３７３を実行する。また、ＣＰＵ１０１は、Ｙ増加スイッチ１０８がＯＦＦにされていない場合、ステップＰ３７２を再度実行する。
【０２８９】
ステップＰ３７３において、ＣＰＵ１０１は、時間計測用の内部クロック・カウンタ１２３より、カウント値を読込み、時間計測用の内部クロック・カウンタのカウント値記憶用メモリＭ６３に記憶する。ＣＰＵ１０１は、ステップＰ３７３における処理が終了した後、ステップＰ３７４を実行する。
【０２９０】
ステップＰ３７４において、ＣＰＵ１０１は、時間計測用の内部クロック・カウンタ１２３のカウント値より、今回のＹの調整量を演算し、今回のＹの調整量記憶用メモリＭ６４に記憶する。ＣＰＵ１０１は、ステップＰ３７４における処理が終了した後、ステップＰ３７５を実行する。
【０２９１】
ステップＰ３７５において、ＣＰＵ１０１は、Ｙの調整量の合計値記憶用メモリＭ５９からＹの調整量の合計値を読込む。ＣＰＵ１０１は、ステップＰ３７５における処理が終了した後、ステップＰ３７６を実行する。
【０２９２】
ステップＰ３７６において、ＣＰＵ１０１は、Ｙの調整量の合計値に今回のＹの調整量を加算し、求めた値をＹの調整量の合計値記憶用メモリＭ５９に上書きする。ＣＰＵ１０１は、ステップＰ３７６における処理が終了した後、ステップＰ３７７を実行する。
【０２９３】
ステップＰ３７７において、ＣＰＵ１０１は、Ｙの調整量の合計値記憶用メモリＭ５９からＹの調整量の合計値を読込む。ＣＰＵ１０１は、ステップＰ３７７における処理が終了した後、ステップＰ３７８を実行する。
【０２９４】
ステップＰ３７８において、ＣＰＵ１０１は、現在の色調表示用ＣＭＹＫデータのＹデータの合計値記憶用メモリＭ５１から現在の色調表示用ＣＭＹＫデータのＹデータの合計値を読込む。ＣＰＵ１０１は、ステップＰ３７８における処理が終了した後、ステップＰ３７９を実行する。
【０２９５】
ステップＰ３７９において、ＣＰＵ１０１は、現在の色調表示用ＣＭＹＫデータのＹデータの合計値にＹの調整量の合計値を加算し、調整後の色調表示用ＣＭＹＫデータのＹデータの合計値を演算し、調整後の色調表示用ＣＭＹＫデータのＹデータの合計値記憶用メモリＭ６５に記憶する。ＣＰＵ１０１は、ステップＰ３７９における処理が終了した後、ステップＰ３８０を実行する。
【０２９６】
ステップＰ３８０において、ＣＰＵ１０１は、現在の色調表示用ＣＭＹＫデータのＹデータの合計値記憶用メモリＭ５１から現在の色調表示用ＣＭＹＫデータのＹデータの合計値を読込む。ＣＰＵ１０１は、ステップＰ３８０における処理が終了した後、ステップＰ３８１を実行する。
【０２９７】
ステップＰ３８１において、ＣＰＵ１０１は、調整後の色調表示用ＣＭＹＫデータのＹデータの合計値を現在の色調表示用ＣＭＹＫデータのＹデータの合計値で除算し、Ｙデータの調整比率を演算し、色調表示用ＣＭＹＫデータのＹデータの調整比率記憶用メモリＭ５５に上書きする。ＣＰＵ１０１は、ステップＰ３８１における処理が終了した後、ステップＰ３８２を実行する。
【０２９８】
ステップＰ３８２において、ＣＰＵ１０１は、Ｙ減少スイッチ１０９がオペレータによりＯＮにされているかどうか判断する。ＣＰＵ１０１は、Ｙ減少スイッチ１０９がＯＮにされている場合、ステップＰ３８３を実行する。また、ＣＰＵ１０１は、Ｙ減少スイッチ１０９がＯＮにされていない場合、後述するステップＰ３９５を実行する。なお、Ｙ減少スイッチ１０９は、図２に示すＹｄｏｗｎスイッチ３０に対応する。
【０２９９】
ステップＰ３８３において、ＣＰＵ１０１は、時間計測用の内部クロック・カウンタ１２３に、イネーブル信号及びリセット信号を出力する。ＣＰＵ１０１は、ステップＰ３８３における処理が終了した後、ステップＰ３８４を実行する。
【０３００】
ステップＰ３８４において、ＣＰＵ１０１は、時間計測用の内部クロック・カウンタ１２３へのリセット信号の出力を停止する。ＣＰＵ１０１は、ステップＰ３８４における処理が終了した後、ステップＰ３８５を実行する。
【０３０１】
ステップＰ３８５において、ＣＰＵ１０１は、Ｙ減少スイッチ１０９がオペレータによりＯＦＦにされているかどうか判断する。ＣＰＵ１０１は、Ｙ減少スイッチ１０９がＯＦＦにされている場合、ステップＰ３８６を実行する。また、ＣＰＵ１０１は、Ｙ減少スイッチ１０９がＯＦＦにされていない場合、ステップＰ３８５を再度実行する。
【０３０２】
ステップＰ３８６において、ＣＰＵ１０１は、時間計測用の内部クロック・カウンタ１２３より、カウント値を読込み、時間計測用の内部クロック・カウンタのカウント値記憶用メモリＭ６３に記憶する。ＣＰＵ１０１は、ステップＰ３８６における処理が終了した後、ステップＰ３８７を実行する。
【０３０３】
ステップＰ３８７において、ＣＰＵ１０１は、時間計測用の内部クロック・カウンタ１２３のカウント値より、今回のＹの調整量を演算し、今回のＹの調整量記憶用メモリＭ６４に記憶する。ＣＰＵ１０１は、ステップＰ３８７における処理が終了した後、ステップＰ３８８を実行する。
【０３０４】
ステップＰ３８８において、ＣＰＵ１０１は、Ｙの調整量の合計値記憶用メモリＭ５９からＹの調整量の合計値を読込む。ＣＰＵ１０１は、ステップＰ３８８における処理が終了した後、ステップＰ３８９を実行する。
【０３０５】
ステップＰ３８９において、ＣＰＵ１０１は、Ｙの調整量の合計値から今回のＹの調整量を減算し、求めた値をＹの調整量の合計値記憶用メモリＭ５９に上書きする。ＣＰＵ１０１は、ステップＰ３８９における処理が終了した後、ステップＰ３９０を実行する。
【０３０６】
ステップＰ３９０において、ＣＰＵ１０１は、Ｙの調整量の合計値記憶用メモリＭ５９からＹの調整量の合計値を読込む。ＣＰＵ１０１は、ステップＰ３９０における処理が終了した後、ステップＰ３９１を実行する。
【０３０７】
ステップＰ３９１において、ＣＰＵ１０１は、現在の色調表示用ＣＭＹＫデータのＹデータの合計値記憶用メモリＭ５１から現在の色調表示用ＣＭＹＫデータのＹデータの合計値を読込む。ＣＰＵ１０１は、ステップＰ３９１における処理が終了した後、ステップＰ３９２を実行する。
【０３０８】
ステップＰ３９２において、ＣＰＵ１０１は、現在の色調表示用ＣＭＹＫデータのＹデータの合計値からＹの調整量の合計値を減算し、調整後の色調表示用ＣＭＹＫデータのＹデータの合計値を演算し、調整後の色調表示用ＣＭＹＫデータのＹデータの合計値記憶用メモリＭ６５に記憶する。ＣＰＵ１０１は、ステップＰ３９２における処理が終了した後、ステップＰ３９３を実行する。
【０３０９】
ステップＰ３９３において、ＣＰＵ１０１は、現在の色調表示用ＣＭＹＫデータのＹデータの合計値記憶用メモリＭ５１から現在の色調表示用ＣＭＹＫデータのＹデータの合計値を読込む。ＣＰＵ１０１は、ステップＰ３９３における処理が終了した後、ステップＰ３９４を実行する。
【０３１０】
ステップＰ３９４において、ＣＰＵ１０１は、調整後の色調表示用ＣＭＹＫデータのＹデータの合計値を現在の色調表示用ＣＭＹＫデータのＹデータの合計値で除算し、Ｙデータの調整比率を演算し、色調表示用ＣＭＹＫデータのＹデータの調整比率記憶用メモリＭ５５に上書きする。ＣＰＵ１０１は、ステップＰ３９４における処理が終了した後、ステップＰ３９５を実行する。
【０３１１】
ステップＰ３９５〜Ｐ４２０、ステップＰ４２１〜Ｐ４４６及びステップＰ４４７〜Ｐ４７２において、ＣＰＵ１０１は、それぞれＭ、Ｃ及びＫについて、ステップＰ３６９〜Ｐ３９４においてＹについて行った処理と同様の処理を実行する。ＣＰＵ１０１は、ステップＰ４７２における処理が終了した後、ステップＰ４７３を実行する。
【０３１２】
図１６Ａ〜図１６Ｃに示すように、ステップＰ４７３において、ＣＰＵ１０１は、カウント値Ｘ記憶用メモリＭ２に、１を上書きする。ＣＰＵ１０１は、ステップＰ４７３における処理が終了した後、ステップＰ４７４を実行する。
【０３１３】
ステップＰ４７４において、ＣＰＵ１０１は、カウント値Ｙ記憶用メモリＭ３に、１を上書きする。ＣＰＵ１０１は、ステップＰ４７４における処理が終了した後、ステップＰ４７５を実行する。
【０３１４】
ステップＰ４７５において、ＣＰＵ１０１は、カウント値Ｙ記憶用メモリＭ３からカウント値Ｙを読込む。ＣＰＵ１０１は、ステップＰ４７５における処理が終了した後、ステップＰ４７６を実行する。
【０３１５】
ステップＰ４７６において、ＣＰＵ１０１は、カウント値Ｘ記憶用メモリＭ２からカウント値Ｘを読込む。ＣＰＵ１０１は、ステップＰ４７６における処理が終了した後、ステップＰ４７７を実行する。
【０３１６】
ステップＰ４７７において、ＣＰＵ１０１は、現在の色調表示用ＣＭＹＫデータ記憶用メモリＭ１７の（Ｘ、Ｙ）のＹデータ用のアドレス位置より、（Ｘ、Ｙ）の位置のＹデータを読込む。ＣＰＵ１０１は、ステップＰ４７７における処理が終了した後、ステップＰ４７８を実行する。
【０３１７】
ステップＰ４７８において、ＣＰＵ１０１は、色調表示用ＣＭＹＫデータのＹデータの調整比率記憶用メモリＭ５５からＹデータの調整比率を読込む。ＣＰＵ１０１は、ステップＰ４７８における処理が終了した後、ステップＰ４７９を実行する。
【０３１８】
ステップＰ４７９において、ＣＰＵ１０１は、（Ｘ、Ｙ）の位置のＹデータにＹデータの調整比率を乗算し、求めた値Ｙ’を調整した色調表示用ＣＭＹＫデータ記憶用メモリＭ７２の（Ｘ、Ｙ）のＹデータ用のアドレス位置に書込む。ＣＰＵ１０１は、ステップＰ４７９における処理が終了した後、ステップＰ４８０を実行する。
【０３１９】
ステップＰ４８０において、ＣＰＵ１０１は、現在の色調表示用ＣＭＹＫデータ記憶用メモリＭ１７の（Ｘ、Ｙ）のＭデータ用のアドレス位置より、（Ｘ、Ｙ）の位置のＭデータを読込む。ＣＰＵ１０１は、ステップＰ４８０における処理が終了した後、ステップＰ４８１を実行する。
【０３２０】
ステップＰ４８１において、ＣＰＵ１０１は、色調表示用ＣＭＹＫデータのＭデータの調整比率記憶用メモリＭ５６からＭデータの調整比率を読込む。ＣＰＵ１０１は、ステップＰ４８１における処理が終了した後、ステップＰ４８２を実行する。
【０３２１】
ステップＰ４８２において、ＣＰＵ１０１は、（Ｘ、Ｙ）の位置のＭデータにＭデータの調整比率を乗算し、求めた値Ｍ’を調整した色調表示用ＣＭＹＫデータ記憶用メモリＭ７２の（Ｘ、Ｙ）のＭデータ用のアドレス位置に書込む。ＣＰＵ１０１は、ステップＰ４８２における処理が終了した後、ステップＰ４８３を実行する。
【０３２２】
ステップＰ４８３において、ＣＰＵ１０１は、現在の色調表示用ＣＭＹＫデータ記憶用メモリＭ１７の（Ｘ、Ｙ）のＣデータ用のアドレス位置より、（Ｘ、Ｙ）の位置のＣデータを読込む。ＣＰＵ１０１は、ステップＰ４８３における処理が終了した後、ステップＰ４８４を実行する。
【０３２３】
ステップＰ４８４において、ＣＰＵ１０１は、色調表示用ＣＭＹＫデータのＣデータの調整比率記憶用メモリＭ５７からＣデータの調整比率を読込む。ＣＰＵ１０１は、ステップＰ４８４における処理が終了した後、ステップＰ４８５を実行する。
【０３２４】
ステップＰ４８５において、ＣＰＵ１０１は、（Ｘ、Ｙ）の位置のＣデータにＣデータの調整比率を乗算し、求めた値Ｃ’を調整した色調表示用ＣＭＹＫデータ記憶用メモリＭ７２の（Ｘ、Ｙ）のＣデータ用のアドレス位置に書込む。ＣＰＵ１０１は、ステップＰ４８５における処理が終了した後、ステップＰ４８６を実行する。
【０３２５】
ステップＰ４８６において、ＣＰＵ１０１は、現在の色調表示用ＣＭＹＫデータ記憶用メモリＭ１７の（Ｘ、Ｙ）のＫデータ用のアドレス位置より、（Ｘ、Ｙ）の位置のＫデータを読込む。ＣＰＵ１０１は、ステップＰ４８６における処理が終了した後、ステップＰ４８７を実行する。
【０３２６】
ステップＰ４８７において、ＣＰＵ１０１は、色調表示用ＣＭＹＫデータのＫデータの調整比率記憶用メモリＭ５８からＫデータの調整比率を読込む。ＣＰＵ１０１は、ステップＰ４８７における処理が終了した後、ステップＰ４８８を実行する。
【０３２７】
ステップＰ４８８において、ＣＰＵ１０１は、（Ｘ、Ｙ）の位置のＫデータにＫデータの調整比率を乗算し、求めた値Ｋ’を調整した色調表示用ＣＭＹＫデータ記憶用メモリＭ７２の（Ｘ、Ｙ）のＫデータ用のアドレス位置に書込む。ＣＰＵ１０１は、ステップＰ４８８における処理が終了した後、ステップＰ４８９を実行する。
【０３２８】
ステップＰ４８９において、ＣＰＵ１０１は、調整した色調表示用ＣＭＹＫデータ記憶用メモリＭ７２の（Ｘ、Ｙ）のアドレス位置より、（Ｘ、Ｙ）の位置のＣ’Ｍ’Ｙ’Ｋ’データを読込む。ＣＰＵ１０１は、ステップＰ４８９における処理が終了した後、ステップＰ４９０を実行する。
【０３２９】
ステップＰ４９０において、ＣＰＵ１０１は、（Ｘ、Ｙ）の位置のＣ’Ｍ’Ｙ’Ｋ’データより（Ｘ、Ｙ）の位置のＲ’Ｇ’Ｂ’データを求め、調整した色調表示用データ記憶用メモリＭ７３の（Ｘ、Ｙ）のアドレス位置に書込む。ＣＰＵ１０１は、ステップＰ４９０における処理が終了した後、ステップＰ４９１を実行する。
【０３３０】
ステップＰ４９１において、ＣＰＵ１０１は、表示器１１９の色調調整画面５の調整した色調表示部１７の（Ｘ、Ｙ）の位置に、（Ｘ、Ｙ）の位置のＲ’Ｇ’Ｂ’データを表示する。ＣＰＵ１０１は、ステップＰ４９１における処理が終了した後、ステップＰ４９２を実行する。
【０３３１】
ステップＰ４９２において、ＣＰＵ１０１は、カウント値Ｙ記憶用メモリＭ３からカウント値Ｙを読込む。ＣＰＵ１０１は、ステップＰ４９２における処理が終了した後、ステップＰ４９３を実行する。
【０３３２】
ステップＰ４９３において、ＣＰＵ１０１は、カウント値Ｙに１を加算し、カウント値Ｙ記憶用メモリＭ３に上書きする。ＣＰＵ１０１は、ステップＰ４９３における処理が終了した後、ステップＰ４９４を実行する。
【０３３３】
ステップＰ４９４において、ＣＰＵ１０１は、色調調整用表示範囲のＹ方向の画素数記憶用メモリＭ１４から色調調整用表示範囲のＹ方向の画素数を読込む。ＣＰＵ１０１は、ステップＰ４９４における処理が終了した後、ステップＰ４９５を実行する。
【０３３４】
ステップＰ４９５において、ＣＰＵ１０１は、カウント値Ｙ記憶用メモリＭ３からカウント値Ｙを読込む。ＣＰＵ１０１は、ステップＰ４９５における処理が終了した後、ステップＰ４９６を実行する。
【０３３５】
ステップＰ４９６において、ＣＰＵ１０１は、カウント値Ｙが色調調整用表示範囲のＹ方向の画素数より大きいかどうか判断する。ＣＰＵ１０１は、カウント値Ｙが色調調整用表示範囲のＹ方向の画素数より大きい場合、ステップＰ４９７を実行する。また、ＣＰＵ１０１は、カウント値Ｙが色調調整用表示範囲のＹ方向の画素数より大きくない場合、ステップＰ４７５を実行する。
【０３３６】
ステップＰ４９７において、ＣＰＵ１０１は、カウント値Ｘ記憶用メモリＭ２からカウント値Ｘを読込む。ＣＰＵ１０１は、ステップＰ４９７における処理が終了した後、ステップＰ４９８を実行する。
【０３３７】
ステップＰ４９８において、ＣＰＵ１０１は、カウント値Ｘに１を加算し、カウント値Ｘ記憶用メモリＭ２に上書きする。ＣＰＵ１０１は、ステップＰ４９８における処理が終了した後、ステップＰ４９９を実行する。
【０３３８】
ステップＰ４９９において、ＣＰＵ１０１は、色調調整用表示範囲のＸ方向の画素数記憶用メモリＭ１５から色調調整用表示範囲のＸ方向の画素数を読込む。ＣＰＵ１０１は、ステップＰ４９９における処理が終了した後、ステップＰ５００を実行する。
【０３３９】
ステップＰ５００において、ＣＰＵ１０１は、カウント値Ｘ記憶用メモリＭ２からカウント値Ｘを読込む。ＣＰＵ１０１は、ステップＰ５００における処理が終了した後、ステップＰ５０１を実行する。
【０３４０】
ステップＰ５０１において、ＣＰＵ１０１は、カウント値Ｘが色調調整用表示範囲のＸ方向の画素数より大きいかどうか判断する。ＣＰＵ１０１は、カウント値Ｘが色調調整用表示範囲のＸ方向の画素数より大きい場合、ステップＰ５０２を実行する。また、ＣＰＵ１０１は、カウント値Ｘが色調調整用表示範囲のＸ方向の画素数より大きくない場合、ステップＰ４７４を実行する。
【０３４１】
ステップＰ５０２において、ＣＰＵ１０１は、色調調整完了スイッチ１１６がオペレータによりＯＮにされているかどうか判断する。ＣＰＵ１０１は、色調調整完了スイッチ１１６がＯＮにされている場合、ステップＰ５０３を実行する。また、ＣＰＵ１０１は、色調調整完了スイッチ１１６がＯＮにされていない場合、ステップＰ３６９を実行する。
【０３４２】
以上の動作フローによって、図２に示すＹｕｐスイッチ（Ｙ増加スイッチ）１０８、Ｙｄｏｗｎスイッチ（Ｙ減少スイッチ）１０９、Ｍｕｐスイッチ（Ｍ増加スイッチ）１１０、Ｍｄｏｗｎスイッチ（Ｍ減少スイッチ）１１１、Ｃｕｐスイッチ（Ｃ増加スイッチ）１１２、Ｃｄｏｗｎスイッチ（Ｃ減少スイッチ）１１３、Ｋｕｐスイッチ（Ｋ増加スイッチ）１１４及びＫｄｏｗｎスイッチ（Ｋ減少スイッチ）１１５がオペレータに操作されて色調調整範囲のインキ供給量が調整され、調整された色調で色調調整範囲の絵柄が調整した色調表示部１７に表示される。
【０３４３】
図１７Ａ〜図１７Ｇに示すように、ステップＰ５０３において、ＣＰＵ１０１は、色調調整用表示開始位置（Ｘｓ、Ｙｓ）記憶用メモリＭ１２からＸ方向の色調調整用表示開始位置Ｘｓを読込む。ＣＰＵ１０１は、ステップＰ５０３における処理が終了した後、ステップＰ５０４を実行する。
【０３４４】
ステップＰ５０４において、ＣＰＵ１０１は、Ｘ方向の色調調整用表示開始位置Ｘｓより、色調を調整するインキ・ツボ・キーの最小番号を演算し、色調を調整するインキ・ツボ・キーの最小番号記憶用メモリＭ７４に記憶する。なお、ここで、インキ・ツボ・キーの番号は、印刷物の絵柄と同様に、左側を基点とし、右になる程大きい番号が順に割り当てられている。ＣＰＵ１０１は、ステップＰ５０４における処理が終了した後、ステップＰ５０５を実行する。
【０３４５】
ステップＰ５０５において、ＣＰＵ１０１は、色調を調整するインキ・ツボ・キーの最小番号より、色調を調整するＸ方向の画素の最小番号を演算し、色調を調整するＸ方向の画素の最小番号記憶用メモリＭ７５に記憶する。なお、ここで、Ｘ方向の画素の番号は、前記した印刷物の絵柄の左側を基点とした時の位置Ｘに対応する。ＣＰＵ１０１は、ステップＰ５０５における処理が終了した後、ステップＰ５０６を実行する。
【０３４６】
ステップＰ５０６において、ＣＰＵ１０１は、色調調整用表示終了位置（Ｘｅ、Ｙｅ）記憶用メモリＭ１３からＸ方向の色調調整用表示終了位置Ｘｅを読込む。ＣＰＵ１０１は、ステップＰ５０６における処理が終了した後、ステップＰ５０７を実行する。
【０３４７】
ステップＰ５０７において、ＣＰＵ１０１は、Ｘ方向の色調調整用表示終了位置Ｘｅより、色調を調整するインキ・ツボ・キーの最大番号を演算し、色調を調整するインキ・ツボ・キーの最大番号記憶用メモリＭ７６を記憶する。ＣＰＵ１０１は、ステップＰ５０７における処理が終了した後、ステップＰ５０８を実行する。
【０３４８】
ステップＰ５０８において、ＣＰＵ１０１は、色調を調整するインキ・ツボ・キーの最大番号より、色調を調整するＸ方向の画素の最大番号を演算し、色調を調整するＸ方向の画素の最大番号記憶用メモリＭ７７に記憶する。ＣＰＵ１０１は、ステップＰ５０８における処理が終了した後、ステップＰ５０９を実行する。
【０３４９】
ステップＰ５０９において、ＣＰＵ１０１は、カウント値Ｘ記憶用メモリＭ２に、１を上書きする。ＣＰＵ１０１は、ステップＰ５０９における処理が終了した後、ステップＰ５１０を実行する。
【０３５０】
ステップＰ５１０において、ＣＰＵ１０１は、カウント値Ｙ記憶用メモリＭ３に、１を上書きする。ＣＰＵ１０１は、ステップＰ５１０における処理が終了した後、ステップＰ５１１を実行する。
【０３５１】
ステップＰ５１１において、ＣＰＵ１０１は、カウント値Ｙ記憶用メモリＭ３からカウント値Ｙを読込む。ＣＰＵ１０１は、ステップＰ５１１における処理が終了した後、ステップＰ５１２を実行する。
【０３５２】
ステップＰ５１２において、ＣＰＵ１０１は、カウント値Ｘ記憶用メモリＭ２からカウント値Ｘを読込む。ＣＰＵ１０１は、ステップＰ５１２における処理が終了した後、ステップＰ５１３を実行する。
【０３５３】
ステップＰ５１３において、ＣＰＵ１０１は、表示用ＣＭＹＫデータ記憶用メモリＭ５の（Ｘ、Ｙ）のアドレス位置より、（Ｘ、Ｙ）の位置のＣＭＹＫデータを読込み、調整した印刷物表示用ＣＭＹＫデータ記憶用メモリＭ７８及び表示用ＣＭＹＫデータ記憶用メモリＭ５の（Ｘ、Ｙ）のアドレス位置に書込む。ＣＰＵ１０１は、ステップＰ５１３における処理が終了した後、ステップＰ５１４を実行する。
【０３５４】
ステップＰ５１４において、ＣＰＵ１０１は、カウント値Ｙ記憶用メモリＭ３からカウント値Ｙを読込む。ＣＰＵ１０１は、ステップＰ５１４における処理が終了した後、ステップＰ５１５を実行する。
【０３５５】
ステップＰ５１５において、ＣＰＵ１０１は、カウント値Ｙに１を加算し、カウント値Ｙ記憶用メモリＭ３に上書きする。ＣＰＵ１０１は、ステップＰ５１５における処理が終了した後、ステップＰ５１６を実行する。
【０３５６】
ステップＰ５１６において、ＣＰＵ１０１は、印刷物のＹ方向の画素数Ｙｍａｘ記憶用メモリＭ７から印刷物のＹ方向の画素数Ｙｍａｘを読込む。ＣＰＵ１０１は、ステップＰ５１６における処理が終了した後、ステップＰ５１７を実行する。
【０３５７】
ステップＰ５１７において、ＣＰＵ１０１は、カウント値Ｙ記憶用メモリＭ３からカウント値Ｙを読込む。ＣＰＵ１０１は、ステップＰ５１７における処理が終了した後、ステップＰ５１８を実行する。
【０３５８】
ステップＰ５１８において、ＣＰＵ１０１は、カウント値Ｙが印刷物のＹ方向の画素数Ｙｍａｘより大きいかどうか判断する。ＣＰＵ１０１は、カウント値Ｙが印刷物のＹ方向の画素数Ｙｍａｘより大きい場合、ステップＰ５１９を実行する。また、ＣＰＵ１０１は、カウント値Ｙが印刷物のＹ方向の画素数Ｙｍａｘより大きくない場合、ステップＰ５１１を実行する。
【０３５９】
ステップＰ５１９において、ＣＰＵ１０１は、カウント値Ｘ記憶用メモリＭ２からカウント値Ｘを読込む。ＣＰＵ１０１は、ステップＰ５１９における処理が終了した後、ステップＰ５２０を実行する。
【０３６０】
ステップＰ５２０において、ＣＰＵ１０１は、カウント値Ｘに１を加算し、カウント値Ｘ記憶用メモリＭ２に上書きする。ＣＰＵ１０１は、ステップＰ５２０における処理が終了した後、ステップＰ５２１を実行する。
【０３６１】
ステップＰ５２１において、ＣＰＵ１０１は、色調を調整するＸ方向の画素の最小番号記憶用メモリＭ７５から色調を調整するＸ方向の画素の最小番号を読込む。ＣＰＵ１０１は、ステップＰ５２１における処理が終了した後、ステップＰ５２２を実行する。
【０３６２】
ステップＰ５２２において、ＣＰＵ１０１は、カウント値Ｘ記憶用メモリＭ２からカウント値Ｘを読込む。ＣＰＵ１０１は、ステップＰ５２２における処理が終了した後、ステップＰ５２３を実行する。
【０３６３】
ステップＰ５２３において、ＣＰＵ１０１は、カウント値Ｘが色調を調整するＸ方向の画素の最小番号より大きいかどうか判断する。ＣＰＵ１０１は、カウント値Ｘが色調を調整するＸ方向の画素の最小番号より大きい場合、ステップＰ５２４を実行する。また、ＣＰＵ１０１は、カウント値Ｘが色調を調整するＸ方向の画素の最小番号より大きくない場合、ステップＰ５１０を実行する。
【０３６４】
ステップＰ５２４において、ＣＰＵ１０１は、カウント値Ｙ記憶用メモリＭ３に、１を上書きする。ＣＰＵ１０１は、ステップＰ５２４における処理が終了した後、ステップＰ５２５を実行する。
【０３６５】
ステップＰ５２５において、ＣＰＵ１０１は、カウント値Ｙ記憶用メモリＭ３からカウント値Ｙを読込む。ＣＰＵ１０１は、ステップＰ５２５における処理が終了した後、ステップＰ５２６を実行する。
【０３６６】
ステップＰ５２６において、ＣＰＵ１０１は、カウント値Ｘ記憶用メモリＭ２からカウント値Ｘを読込む。ＣＰＵ１０１は、ステップＰ５２６における処理が終了した後、ステップＰ５２７を実行する。
【０３６７】
ステップＰ５２７において、ＣＰＵ１０１は、表示用ＣＭＹＫデータ記憶用メモリＭ５の（Ｘ、Ｙ）のＹデータ用のアドレス位置より、（Ｘ、Ｙ）の位置のＹデータを読込む。ＣＰＵ１０１は、ステップＰ５２７における処理が終了した後、ステップＰ５２８を実行する。
【０３６８】
ステップＰ５２８において、ＣＰＵ１０１は、色調表示用ＣＭＹＫデータのＹデータの調整比率記憶用メモリＭ５５からＹデータの調整比率を読込む。ＣＰＵ１０１は、ステップＰ５２８における処理が終了した後、ステップＰ５２９を実行する。
【０３６９】
ステップＰ５２９において、ＣＰＵ１０１は、（Ｘ、Ｙ）の位置のＹデータにＹデータの調整比率を乗算し、求めた値Ｙ’を調整した印刷物表示用ＣＭＹＫデータ記憶用メモリＭ７８及び表示用ＣＭＹＫデータ記憶用メモリＭ５の（Ｘ、Ｙ）のＹデータ用のアドレス位置に書込む。ＣＰＵ１０１は、ステップＰ５２９における処理が終了した後、ステップＰ５３０を実行する。
【０３７０】
ステップＰ５３０において、ＣＰＵ１０１は、表示用ＣＭＹＫデータ記憶用メモリＭ５の（Ｘ、Ｙ）のＭデータ用のアドレス位置より、（Ｘ、Ｙ）の位置のＭデータを読込む。ＣＰＵ１０１は、ステップＰ５３０における処理が終了した後、ステップＰ５３１を実行する。
【０３７１】
ステップＰ５３１において、ＣＰＵ１０１は、色調表示用ＣＭＹＫデータのＭデータの調整比率記憶用メモリＭ５６からＭデータの調整比率を読込む。ＣＰＵ１０１は、ステップＰ５３１における処理が終了した後、ステップＰ５３２を実行する。
【０３７２】
ステップＰ５３２において、ＣＰＵ１０１は、（Ｘ、Ｙ）の位置のＭデータにＭデータの調整比率を乗算し、求めた値Ｍ’を調整した印刷物表示用ＣＭＹＫデータ記憶用メモリＭ７８及び表示用ＣＭＹＫデータ記憶用メモリＭ５の（Ｘ、Ｙ）のＭデータ用のアドレス位置に書込む。ＣＰＵ１０１は、ステップＰ５３２における処理が終了した後、ステップＰ５３３を実行する。
【０３７３】
ステップＰ５３３において、ＣＰＵ１０１は、表示用ＣＭＹＫデータ記憶用メモリＭ５の（Ｘ、Ｙ）のＣデータ用のアドレス位置より、（Ｘ、Ｙ）の位置のＣデータを読込む。ＣＰＵ１０１は、ステップＰ５３３における処理が終了した後、ステップＰ５３４を実行する。
【０３７４】
ステップＰ５３４において、ＣＰＵ１０１は、色調表示用ＣＭＹＫデータのＣデータの調整比率記憶用メモリＭ５７からＣデータの調整比率を読込む。ＣＰＵ１０１は、ステップＰ５３４における処理が終了した後、ステップＰ５３５を実行する。
【０３７５】
ステップＰ５３５において、ＣＰＵ１０１は、（Ｘ、Ｙ）の位置のＣデータにＣデータの調整比率を乗算し、求めた値Ｃ’を調整した印刷物表示用ＣＭＹＫデータ記憶用メモリＭ７８及び表示用ＣＭＹＫデータ記憶用メモリＭ５の（Ｘ、Ｙ）のＣデータ用のアドレス位置に書込む。ＣＰＵ１０１は、ステップＰ５３５における処理が終了した後、ステップＰ５３６を実行する。
【０３７６】
ステップＰ５３６において、ＣＰＵ１０１は、表示用ＣＭＹＫデータ記憶用メモリＭ５の（Ｘ、Ｙ）のＫデータ用のアドレス位置より、（Ｘ、Ｙ）の位置のＫデータを読込む。ＣＰＵ１０１は、ステップＰ５３６における処理が終了した後、ステップＰ５３７を実行する。
【０３７７】
ステップＰ５３７において、ＣＰＵ１０１は、色調表示用ＣＭＹＫデータのＫデータの調整比率記憶用メモリＭ５８からＫデータの調整比率を読込む。ＣＰＵ１０１は、ステップＰ５３７における処理が終了した後、ステップＰ５３８を実行する。
【０３７８】
ステップＰ５３８において、ＣＰＵ１０１は、（Ｘ、Ｙ）の位置のＫデータにＫデータの調整比率を乗算し、求めた値Ｋ’を調整した印刷物表示用ＣＭＹＫデータ記憶用メモリＭ７８及び表示用ＣＭＹＫデータ記憶用メモリＭ５の（Ｘ、Ｙ）のＫデータ用のアドレス位置に書込む。ＣＰＵ１０１は、ステップＰ５３８における処理が終了した後、ステップＰ５３９を実行する。
【０３７９】
ステップＰ５３９において、ＣＰＵ１０１は、カウント値Ｙ記憶用メモリＭ３からカウント値Ｙを読込む。ＣＰＵ１０１は、ステップＰ５３９における処理が終了した後、ステップＰ５４０を実行する。
【０３８０】
ステップＰ５４０において、ＣＰＵ１０１は、カウント値Ｙに１を加算し、カウント値Ｙ記憶用メモリＭ３に上書きする。ＣＰＵ１０１は、ステップＰ５４０における処理が終了した後、ステップＰ５４１を実行する。
【０３８１】
ステップＰ５４１において、ＣＰＵ１０１は、印刷物のＹ方向の画素数Ｙｍａｘ記憶用メモリＭ７から印刷物のＹ方向の画素数Ｙｍａｘを読込む。ＣＰＵ１０１は、ステップＰ５４１における処理が終了した後、ステップＰ５４２を実行する。
【０３８２】
ステップＰ５４２において、ＣＰＵ１０１は、カウント値Ｙ記憶用メモリＭ３からカウント値Ｙを読込む。ＣＰＵ１０１は、ステップＰ５４２における処理が終了した後、ステップＰ５４３を実行する。
【０３８３】
ステップＰ５４３において、ＣＰＵ１０１は、カウント値Ｙが印刷物のＹ方向の画素数Ｙｍａｘより大きいかどうか判断する。ＣＰＵ１０１は、カウント値Ｙが印刷物のＹ方向の画素数Ｙｍａｘより大きい場合、ステップＰ５４４を実行する。また、ＣＰＵ１０１は、カウント値Ｙが印刷物のＹ方向の画素数Ｙｍａｘより大きくない場合、ステップＰ５２５を実行する。
【０３８４】
ステップＰ５４４において、ＣＰＵ１０１は、カウント値Ｘ記憶用メモリＭ２からカウント値Ｘを読込む。ＣＰＵ１０１は、ステップＰ５４４における処理が終了した後、ステップＰ５４５を実行する。
【０３８５】
ステップＰ５４５において、ＣＰＵ１０１は、カウント値Ｘに１を加算し、カウント値Ｘ記憶用メモリＭ２に上書きする。ＣＰＵ１０１は、ステップＰ５４５における処理が終了した後、ステップＰ５４６を実行する。
【０３８６】
ステップＰ５４６において、ＣＰＵ１０１は、色調を調整するＸ方向の画素の最大番号記憶用メモリＭ７７から色調を調整するＸ方向の画素の最大番号を読込む。ＣＰＵ１０１は、ステップＰ５４６における処理が終了した後、ステップＰ５４７を実行する。
【０３８７】
ステップＰ５４７において、ＣＰＵ１０１は、カウント値Ｘ記憶用メモリＭ２からカウント値Ｘを読込む。ＣＰＵ１０１は、ステップＰ５４７における処理が終了した後、ステップＰ５４８を実行する。
【０３８８】
ステップＰ５４８において、ＣＰＵ１０１は、カウント値Ｘが色調を調整するＸ方向の画素の最大番号より大きいかどうか判断する。ＣＰＵ１０１は、カウント値Ｘが色調を調整するＸ方向の画素の最大番号より大きい場合、ステップＰ５４９を実行する。また、ＣＰＵ１０１は、カウント値Ｘが色調を調整するＸ方向の画素の最大番号より大きくない場合、ステップＰ５２４を実行する。
【０３８９】
ステップＰ５４９において、ＣＰＵ１０１は、カウント値Ｙ記憶用メモリＭ３に、１を上書きする。ＣＰＵ１０１は、ステップＰ５４９における処理が終了した後、ステップＰ５５０を実行する。
【０３９０】
ステップＰ５５０において、ＣＰＵ１０１は、カウント値Ｙ記憶用メモリＭ３からカウント値Ｙを読込む。ＣＰＵ１０１は、ステップＰ５５０における処理が終了した後、ステップＰ５５１を実行する。
【０３９１】
ステップＰ５５１において、ＣＰＵ１０１は、カウント値Ｘ記憶用メモリＭ２からカウント値Ｘを読込む。ＣＰＵ１０１は、ステップＰ５５１における処理が終了した後、ステップＰ５５２を実行する。
【０３９２】
ステップＰ５５２において、ＣＰＵ１０１は、表示用ＣＭＹＫデータ記憶用メモリＭ５の（Ｘ、Ｙ）のアドレス位置より、（Ｘ、Ｙ）の位置のＣＭＹＫデータを読込み、調整した印刷物表示用ＣＭＹＫデータ記憶用メモリＭ７８及び表示用ＣＭＹＫデータ記憶用メモリＭ５の（Ｘ、Ｙ）のアドレス位置に書込む。ＣＰＵ１０１は、ステップＰ５５２における処理が終了した後、ステップＰ５５３を実行する。
【０３９３】
ステップＰ５５３において、ＣＰＵ１０１は、カウント値Ｙ記憶用メモリＭ３からカウント値Ｙを読込む。ＣＰＵ１０１は、ステップＰ５５３における処理が終了した後、ステップＰ５５４を実行する。
【０３９４】
ステップＰ５５４において、ＣＰＵ１０１は、カウント値Ｙに１を加算し、カウント値Ｙ記憶用メモリＭ３に上書きする。ＣＰＵ１０１は、ステップＰ５５４における処理が終了した後、ステップＰ５５５を実行する。
【０３９５】
ステップＰ５５５において、ＣＰＵ１０１は、印刷物のＹ方向の画素数Ｙｍａｘ記憶用メモリＭ７から印刷物のＹ方向の画素数Ｙｍａｘを読込む。ＣＰＵ１０１は、ステップＰ５５５における処理が終了した後、ステップＰ５５６を実行する。
【０３９６】
ステップＰ５５６において、ＣＰＵ１０１は、カウント値Ｙ記憶用メモリＭ３からカウント値Ｙを読込む。ＣＰＵ１０１は、ステップＰ５５６における処理が終了した後、ステップＰ５５７を実行する。
【０３９７】
ステップＰ５５７において、ＣＰＵ１０１は、カウント値Ｙが印刷物のＹ方向の画素数Ｙｍａｘより大きいかどうか判断する。ＣＰＵ１０１は、カウント値Ｙが印刷物のＹ方向の画素数Ｙｍａｘより大きい場合、ステップＰ５５８を実行する。また、ＣＰＵ１０１は、カウント値Ｙが印刷物のＹ方向の画素数Ｙｍａｘより大きくない場合、ステップＰ５５０を実行する。
【０３９８】
ステップＰ５５８において、ＣＰＵ１０１は、カウント値Ｘ記憶用メモリＭ２からカウント値Ｘを読込む。ＣＰＵ１０１は、ステップＰ５５８における処理が終了した後、ステップＰ５５９を実行する。
【０３９９】
ステップＰ５５９において、ＣＰＵ１０１は、カウント値Ｘに１を加算し、カウント値Ｘ記憶用メモリＭ２に上書きする。ＣＰＵ１０１は、ステップＰ５５９における処理が終了した後、ステップＰ５６０を実行する。
【０４００】
ステップＰ５６０において、ＣＰＵ１０１は、印刷物のＸ方向の画素数Ｘｍａｘ記憶用メモリＭ６から印刷物のＸ方向の画素数Ｘｍａｘを読込む。ＣＰＵ１０１は、ステップＰ５６０における処理が終了した後、ステップＰ５６１を実行する。
【０４０１】
ステップＰ５６１において、ＣＰＵ１０１は、カウント値Ｘ記憶用メモリＭ２からカウント値Ｘを読込む。ＣＰＵ１０１は、ステップＰ５６１における処理が終了した後、ステップＰ５６２を実行する。
【０４０２】
ステップＰ５６２において、ＣＰＵ１０１は、カウント値Ｘが印刷物のＸ方向の画素数Ｘｍａｘより大きいかどうか判断する。ＣＰＵ１０１は、カウント値Ｘが印刷物のＸ方向の画素数Ｘｍａｘより大きい場合、ステップＰ５６３を実行する。また、ＣＰＵ１０１は、カウント値Ｘが印刷物のＸ方向の画素数Ｘｍａｘより大きくない場合、ステップＰ５４９を実行する。
【０４０３】
ステップＰ５６３において、ＣＰＵ１０１は、カウント値Ｘ記憶用メモリＭ２に、１を上書きする。ＣＰＵ１０１は、ステップＰ５６３における処理が終了した後、ステップＰ５６４を実行する。
【０４０４】
ステップＰ５６４において、ＣＰＵ１０１は、カウント値Ｙ記憶用メモリＭ３に、１を上書きする。ＣＰＵ１０１は、ステップＰ５６４における処理が終了した後、ステップＰ５６５を実行する。
【０４０５】
ステップＰ５６５において、ＣＰＵ１０１は、カウント値Ｙ記憶用メモリＭ３からカウント値Ｙを読込む。ＣＰＵ１０１は、ステップＰ５６５における処理が終了した後、ステップＰ５６６を実行する。
【０４０６】
ステップＰ５６６において、ＣＰＵ１０１は、カウント値Ｘ記憶用メモリＭ２からカウント値Ｘを読込む。ＣＰＵ１０１は、ステップＰ５６６における処理が終了した後、ステップＰ５６７を実行する。
【０４０７】
ステップＰ５６７において、ＣＰＵ１０１は、調整した印刷物表示用ＣＭＹＫデータ記憶用メモリＭ７８の（Ｘ、Ｙ）のアドレス位置より、（Ｘ、Ｙ）の位置のＣ”Ｍ”Ｙ”Ｋ”データを読込む。ＣＰＵ１０１は、ステップＰ５６７における処理が終了した後、ステップＰ５６８を実行する。
【０４０８】
ステップＰ５６８において、ＣＰＵ１０１は、（Ｘ、Ｙ）の位置のＣ”Ｍ”Ｙ”Ｋ”データより（Ｘ、Ｙ）の位置のＲ”Ｇ”Ｂ”データを求め、調整した印刷物表示用データ記憶用メモリＭ７９の（Ｘ、Ｙ）のアドレス位置に書込む。ＣＰＵ１０１は、ステップＰ５６８における処理が終了した後、ステップＰ５６９を実行する。
【０４０９】
ステップＰ５６９において、ＣＰＵ１０１は、表示器１１９の色調調整領域指定画面１の色調調整領域指定部２の（Ｘ、Ｙ）の位置に、（Ｘ、Ｙ）の位置のＲ”Ｇ”Ｂ”データ
を表示する。ＣＰＵ１０１は、ステップＰ５６９における処理が終了した後、ステップＰ５７０を実行する。
【０４１０】
ステップＰ５７０において、ＣＰＵ１０１は、カウント値Ｙ記憶用メモリＭ３からカウント値Ｙを読込む。ＣＰＵ１０１は、ステップＰ５７０における処理が終了した後、ステップＰ５７１を実行する。
【０４１１】
ステップＰ５７１において、ＣＰＵ１０１は、カウント値Ｙに１を加算し、カウント値Ｙ記憶用メモリＭ３に上書きする。ＣＰＵ１０１は、ステップＰ５７１における処理が終了した後、ステップＰ５７２を実行する。
【０４１２】
ステップＰ５７２において、ＣＰＵ１０１は、印刷物のＹ方向の画素数Ｙｍａｘ記憶用メモリＭ７から印刷物のＹ方向の画素数Ｙｍａｘを読込む。ＣＰＵ１０１は、ステップＰ５７２における処理が終了した後、ステップＰ５７３を実行する。
【０４１３】
ステップＰ５７３において、ＣＰＵ１０１は、カウント値Ｙ記憶用メモリＭ３からカウント値Ｙを読込む。ＣＰＵ１０１は、ステップＰ５７３における処理が終了した後、ステップＰ５７４を実行する。
【０４１４】
ステップＰ５７４において、ＣＰＵ１０１は、カウント値Ｙが印刷物のＹ方向の画素数Ｙｍａｘより大きいかどうか判断する。ＣＰＵ１０１は、カウント値Ｙが印刷物のＹ方向の画素数Ｙｍａｘより大きい場合、ステップＰ５７５を実行する。また、ＣＰＵ１０１は、カウント値Ｙが印刷物のＹ方向の画素数Ｙｍａｘより大きくない場合、ステップＰ５６５を実行する。
【０４１５】
ステップＰ５７５において、ＣＰＵ１０１は、カウント値Ｘ記憶用メモリＭ２からカウント値Ｘを読込む。ＣＰＵ１０１は、ステップＰ５７５における処理が終了した後、ステップＰ５７６を実行する。
【０４１６】
ステップＰ５７６において、ＣＰＵ１０１は、カウント値Ｘに１を加算し、カウント値Ｘ記憶用メモリＭ２に上書きする。ＣＰＵ１０１は、ステップＰ５７６における処理が終了した後、ステップＰ５７７を実行する。
【０４１７】
ステップＰ５７７において、ＣＰＵ１０１は、印刷物のＸ方向の画素数Ｘｍａｘ記憶用メモリＭ６から印刷物のＸ方向の画素数Ｘｍａｘを読込む。ＣＰＵ１０１は、ステップＰ５７７における処理が終了した後、ステップＰ５７８を実行する。
【０４１８】
ステップＰ５７８において、ＣＰＵ１０１は、カウント値Ｘ記憶用メモリＭ２からカウント値Ｘを読込む。ＣＰＵ１０１は、ステップＰ５７８における処理が終了した後、ステップＰ５７９を実行する。
【０４１９】
ステップＰ５７９において、ＣＰＵ１０１は、カウント値Ｘが印刷物のＸ方向の画素数Ｘｍａｘより大きいかどうか判断する。ＣＰＵ１０１は、カウント値Ｘが印刷物のＸ方向の画素数Ｘｍａｘより大きい場合、ステップＰ５８０を実行する。また、ＣＰＵ１０１は、カウント値Ｘが印刷物のＸ方向の画素数Ｘｍａｘより大きくない場合、ステップＰ５６４を実行する。
【０４２０】
以上の動作フローによって、図１に示す色調調整領域指定画面１の色調調整領域指定部２に、選択された範囲が調整された色調に変更された印刷物の絵柄全体が表示される。
【０４２１】
ステップＰ５８０において、ＣＰＵ１０１は、色調調整完了スイッチ１１６がオペレータによりＯＮにされているかどうか判断する。ＣＰＵ１０１は、色調調整完了スイッチ１１６がＯＮにされている場合、ステップＰ５８２を実行する。また、ＣＰＵ１０１は、色調調整完了スイッチ１１６がＯＮにされていない場合、ステップＰ５８１を実行する。つまり、調整された色調で問題無い場合、オペレータは色調調整完了スイッチ１１６を押し、色調調整を完了する。なお、色調調整完了スイッチ１１６は、図１に示すセットスイッチ１２に対応する。
【０４２２】
ステップＰ５８１において、ＣＰＵ１０１は、色調再調整スイッチ１１７がオペレータによりＯＮにされているかどうか判断する。ＣＰＵ１０１は、色調再調整スイッチ１１７がＯＮにされている場合、ステップＰ１３５を実行する。また、ＣＰＵ１０１は、色調再調整スイッチ１１７がＯＮにされていない場合、ステップＰ５８０を実行する。つまり、調整された色調に問題がある場合、オペレータは色調再調整スイッチ１１７を押し、色調調整を再度実施する。なお、色調再調整スイッチ１１７は、図１に示す再表示スイッチ１１に対応する。
【０４２３】
図１８Ａ〜図１８Ｄに示すように、ステップＰ５８２において、ＣＰＵ１０１は、カウント値Ｎ記憶用メモリＭ１に、１を上書きする。ＣＰＵ１０１は、ステップＰ５８２における処理が終了した後、ステップＰ５８３を実行する。
【０４２４】
ステップＰ５８３において、ＣＰＵ１０１は、カウント値Ｎ記憶用メモリＭ１からカウント値Ｎを読込む。ＣＰＵ１０１は、ステップＰ５８３における処理が終了した後、ステップＰ５８４を実行する。
【０４２５】
ステップＰ５８４において、ＣＰＵ１０１は、Ｙの各インキ・ツボ・キーの範囲の合計値記憶用メモリＭ８０のＮ番目のアドレス位置に、ゼロを書込む。ＣＰＵ１０１は、ステップＰ５８４における処理が終了した後、ステップＰ５８５を実行する。
【０４２６】
ステップＰ５８５において、ＣＰＵ１０１は、Ｍの各インキ・ツボ・キーの範囲の合計値記憶用メモリＭ８１のＮ番目のアドレス位置に、ゼロを書込む。ＣＰＵ１０１は、ステップＰ５８５における処理が終了した後、ステップＰ５８６を実行する。
【０４２７】
ステップＰ５８６において、ＣＰＵ１０１は、Ｃの各インキ・ツボ・キーの範囲の合計値記憶用メモリＭ８２のＮ番目のアドレス位置に、ゼロを書込む。ＣＰＵ１０１は、ステップＰ５８６における処理が終了した後、ステップＰ５８７を実行する。
【０４２８】
ステップＰ５８７において、ＣＰＵ１０１は、Ｋの各インキ・ツボ・キーの範囲の合計値記憶用メモリＭ８３のＮ番目のアドレス位置に、ゼロを書込む。ＣＰＵ１０１は、ステップＰ５８７における処理が終了した後、ステップＰ５８８を実行する。
【０４２９】
ステップＰ５８８において、ＣＰＵ１０１は、カウント値Ｎ記憶用メモリＭ１からカウント値Ｎを読込む。ＣＰＵ１０１は、ステップＰ５８８における処理が終了した後、ステップＰ５８９を実行する。
【０４３０】
ステップＰ５８９において、ＣＰＵ１０１は、カウント値Ｎに１を加算し、カウント値Ｎ記憶用メモリＭ１に上書きする。ＣＰＵ１０１は、ステップＰ５８９における処理が終了した後、ステップＰ５９０を実行する。
【０４３１】
ステップＰ５９０において、ＣＰＵ１０１は、各色のインキ・ツボ・キー総数記憶用メモリＭ８４から各色のインキ・ツボ・キーの総数を読込む。ＣＰＵ１０１は、ステップＰ５９０における処理が終了した後、ステップＰ５９１を実行する。
【０４３２】
ステップＰ５９１において、ＣＰＵ１０１は、カウント値Ｎ記憶用メモリＭ１からカウント値Ｎを読込む。ＣＰＵ１０１は、ステップＰ５９１における処理が終了した後、ステップＰ５９２を実行する。
【０４３３】
ステップＰ５９２において、ＣＰＵ１０１は、カウント値Ｎが各色のインキ・ツボ・キーの総数より大きいかどうか判断する。ＣＰＵ１０１は、カウント値Ｎが各色のインキ・ツボ・キーの総数より大きい場合、ステップＰ５９３を実行する。また、ＣＰＵ１０１は、カウント値Ｎが各色のインキ・ツボ・キーの総数より大きくない場合、ステップＰ５８３を実行する。
【０４３４】
ステップＰ５９３において、ＣＰＵ１０１は、カウント値Ｎ記憶用メモリＭ１に、１を上書きする。ＣＰＵ１０１は、ステップＰ５９３における処理が終了した後、ステップＰ５９４を実行する。
【０４３５】
ステップＰ５９４において、ＣＰＵ１０１は、カウント値Ｘ記憶用メモリＭ２に、１を上書きする。ＣＰＵ１０１は、ステップＰ５９４における処理が終了した後、ステップＰ５９５を実行する。
【０４３６】
ステップＰ５９５において、ＣＰＵ１０１は、カウント値Ｙ記憶用メモリＭ３に、１を上書きする。ＣＰＵ１０１は、ステップＰ５９５における処理が終了した後、ステップＰ５９６を実行する。
【０４３７】
ステップＰ５９６において、ＣＰＵ１０１は、カウント値Ｙ記憶用メモリＭ３からカウント値Ｙを読込む。ＣＰＵ１０１は、ステップＰ５９６における処理が終了した後、ステップＰ５９７を実行する。
【０４３８】
ステップＰ５９７において、ＣＰＵ１０１は、カウント値Ｘ記憶用メモリＭ２からカウント値Ｘを読込む。ＣＰＵ１０１は、ステップＰ５９７における処理が終了した後、ステップＰ５９８を実行する。
【０４３９】
ステップＰ５９８において、ＣＰＵ１０１は、調整した印刷物表示用ＣＭＹＫデータ記憶用メモリＭ７８の（Ｘ、Ｙ）のＹデータ用のアドレス位置より、（Ｘ、Ｙ）の位置のＹ”データを読込む。ＣＰＵ１０１は、ステップＰ５９８における処理が終了した後、ステップＰ５９９を実行する。
【０４４０】
ステップＰ５９９において、ＣＰＵ１０１は、Ｙの各インキ・ツボ・キーの範囲の合計値記憶用メモリＭ８０のＮ番目のアドレス位置より、ＹのＮ番目のインキ・ツボ・キーの範囲の合計値を読込む。ＣＰＵ１０１は、ステップＰ５９９における処理が終了した後、ステップＰ６００を実行する。
【０４４１】
ステップＰ６００において、ＣＰＵ１０１は、ＹのＮ番目のインキ・ツボ・キーの範囲の合計値に（Ｘ、Ｙ）の位置のＹ”データを加算し、求めた値をＹの各インキ・ツボ・キーの範囲の合計値記憶用メモリＭ８０のＮ番目のアドレス位置に上書きする。ＣＰＵ１０１は、ステップＰ６００における処理が終了した後、ステップＰ６０１を実行する。
【０４４２】
ステップＰ６０１において、ＣＰＵ１０１は、調整した印刷物表示用ＣＭＹＫデータ記憶用メモリＭ７８の（Ｘ、Ｙ）のＭデータ用のアドレス位置より、（Ｘ、Ｙ）の位置のＭ”データを読込む。ＣＰＵ１０１は、ステップＰ６０１における処理が終了した後、ステップＰ６０２を実行する。
【０４４３】
ステップＰ６０２において、ＣＰＵ１０１は、Ｍの各インキ・ツボ・キーの範囲の合計値記憶用メモリＭ８１のＮ番目のアドレス位置より、ＭのＮ番目のインキ・ツボ・キーの範囲の合計値を読込む。ＣＰＵ１０１は、ステップＰ６０２における処理が終了した後、ステップＰ６０３を実行する。
【０４４４】
ステップＰ６０３において、ＣＰＵ１０１は、ＭのＮ番目のインキ・ツボ・キーの範囲の合計値に（Ｘ、Ｙ）の位置のＭ”データを加算し、求めた値をＭの各インキ・ツボ・キーの範囲の合計値記憶用メモリＭ８１のＮ番目のアドレス位置に上書きする。ＣＰＵ１０１は、ステップＰ６０３における処理が終了した後、ステップＰ６０４を実行する。
【０４４５】
ステップＰ６０４において、ＣＰＵ１０１は、調整した印刷物表示用ＣＭＹＫデータ記憶用メモリＭ７８の（Ｘ、Ｙ）のＣデータ用のアドレス位置より、（Ｘ、Ｙ）の位置のＣ”データを読込む。ＣＰＵ１０１は、ステップＰ６０４における処理が終了した後、ステップＰ６０５を実行する。
【０４４６】
ステップＰ６０５において、ＣＰＵ１０１は、Ｃの各インキ・ツボ・キーの範囲の合計値記憶用メモリＭ８２のＮ番目のアドレス位置より、ＣのＮ番目のインキ・ツボ・キーの範囲の合計値を読込む。ＣＰＵ１０１は、ステップＰ６０５における処理が終了した後、ステップＰ６０６を実行する。
【０４４７】
ステップＰ６０６において、ＣＰＵ１０１は、ＣのＮ番目のインキ・ツボ・キーの範囲の合計値に（Ｘ、Ｙ）の位置のＣ”データを加算し、求めた値をＣの各インキ・ツボ・キーの範囲の合計値記憶用メモリＭ８２のＮ番目のアドレス位置に上書きする。ＣＰＵ１０１は、ステップＰ６０６における処理が終了した後、ステップＰ６０７を実行する。
【０４４８】
ステップＰ６０７において、ＣＰＵ１０１は、調整した印刷物表示用ＣＭＹＫデータ記憶用メモリＭ７８の（Ｘ、Ｙ）のＫデータ用のアドレス位置より、（Ｘ、Ｙ）の位置のＫ”データを読込む。ＣＰＵ１０１は、ステップＰ６０７における処理が終了した後、ステップＰ６０８を実行する。
【０４４９】
ステップＰ６０８において、ＣＰＵ１０１は、Ｋの各インキ・ツボ・キーの範囲の合計値記憶用メモリＭ８３のＮ番目のアドレス位置より、ＫのＮ番目のインキ・ツボ・キーの範囲の合計値を読込む。ＣＰＵ１０１は、ステップＰ６０８における処理が終了した後、ステップＰ６０９を実行する。
【０４５０】
ステップＰ６０９において、ＣＰＵ１０１は、ＫのＮ番目のインキ・ツボ・キーの範囲の合計値に（Ｘ、Ｙ）の位置のＫ”データを加算し、求めた値をＫの各インキ・ツボ・キーの範囲の合計値記憶用メモリＭ８３のＮ番目のアドレス位置に上書きする。ＣＰＵ１０１は、ステップＰ６０９における処理が終了した後、ステップＰ６１０を実行する。
【０４５１】
ステップＰ６１０において、ＣＰＵ１０１は、カウント値Ｙ記憶用メモリＭ３からカウント値Ｙを読込む。ＣＰＵ１０１は、ステップＰ６１０における処理が終了した後、ステップＰ６１１を実行する。
【０４５２】
ステップＰ６１１において、ＣＰＵ１０１は、カウント値Ｙに１を加算し、カウント値Ｙ記憶用メモリＭ３に上書きする。ＣＰＵ１０１は、ステップＰ６１１における処理が終了した後、ステップＰ６１２を実行する。
【０４５３】
ステップＰ６１２において、ＣＰＵ１０１は、印刷物のＹ方向の画素数Ｙｍａｘ記憶用メモリＭ７から印刷物のＹ方向の画素数Ｙｍａｘを読込む。ＣＰＵ１０１は、ステップＰ６１２における処理が終了した後、ステップＰ６１３を実行する。
【０４５４】
ステップＰ６１３において、ＣＰＵ１０１は、カウント値Ｙ記憶用メモリＭ３からカウント値Ｙを読込む。ＣＰＵ１０１は、ステップＰ６１３における処理が終了した後、ステップＰ６１４を実行する。
【０４５５】
ステップＰ６１４において、ＣＰＵ１０１は、カウント値Ｙが印刷物のＹ方向の画素数Ｙｍａｘより大きいかどうか判断する。ＣＰＵ１０１は、カウント値Ｙが印刷物のＹ方向の画素数Ｙｍａｘより大きい場合、ステップＰ６１５を実行する。ＣＰＵ１０１は、カウント値Ｙが印刷物のＹ方向の画素数Ｙｍａｘより大きくない場合、ステップＰ５９６を実行する。
【０４５６】
ステップＰ６１５において、ＣＰＵ１０１は、カウント値Ｘ記憶用メモリＭ２からカウント値Ｘを読込む。ＣＰＵ１０１は、ステップＰ６１５における処理が終了した後、ステップＰ６１６を実行する。
【０４５７】
ステップＰ６１６において、ＣＰＵ１０１は、カウント値Ｘに１を加算し、カウント値Ｘ記憶用メモリＭ２に上書きする。ＣＰＵ１０１は、ステップＰ６１６における処理が終了した後、ステップＰ６１７を実行する。
【０４５８】
ステップＰ６１７において、ＣＰＵ１０１は、カウント値Ｎ記憶用メモリＭ１からカウント値Ｎを読込む。ＣＰＵ１０１は、ステップＰ６１７における処理が終了した後、ステップＰ６１８を実行する。
【０４５９】
ステップＰ６１８において、ＣＰＵ１０１は、各インキ・ツボ・キーの範囲のＸ方向の画素の最大番号Ｘｎ記憶用メモリＭ８５のＮ番目のアドレス位置より、Ｎ番目のインキ・ツボ・キーの範囲のＸ方向の画素の最大番号Ｘｎを読込む。ＣＰＵ１０１は、ステップＰ６１８における処理が終了した後、ステップＰ６１９を実行する。
【０４６０】
ステップＰ６１９において、ＣＰＵ１０１は、カウント値Ｘ記憶用メモリＭ２からカウント値Ｘを読込む。ＣＰＵ１０１は、ステップＰ６１９における処理が終了した後、ステップＰ６２０を実行する。
【０４６１】
ステップＰ６２０において、ＣＰＵ１０１は、カウント値ＸがＮ番目のインキ・ツボ・キーの範囲のＸ方向の画素の最大番号Ｘｎより大きいかどうか判断する。ＣＰＵ１０１は、カウント値ＸがＮ番目のインキ・ツボ・キーの範囲のＸ方向の画素の最大番号Ｘｎより大きい場合、ステップＰ６２１を実行する。また、ＣＰＵ１０１は、カウント値ＸがＮ番目のインキ・ツボ・キーの範囲のＸ方向の画素の最大番号Ｘｎより大きくない場合、ステップＰ５９５を実行する。
【０４６２】
ステップＰ６２１において、ＣＰＵ１０１は、カウント値Ｎ記憶用メモリＭ１からカウント値Ｎを読込む。ＣＰＵ１０１は、ステップＰ６２１における処理が終了した後、ステップＰ６２２を実行する。
【０４６３】
ステップＰ６２２において、ＣＰＵ１０１は、カウント値Ｎに１を加算し、カウント値Ｎ記憶用メモリＭ１に上書きする。ＣＰＵ１０１は、ステップＰ６２２における処理が終了した後、ステップＰ６２３を実行する。
【０４６４】
ステップＰ６２３において、ＣＰＵ１０１は、各色のインキ・ツボ・キー総数記憶用メモリＭ８４から各色のインキ・ツボ・キーの総数を読込む。ＣＰＵ１０１は、ステップＰ６２３における処理が終了した後、ステップＰ６２４を実行する。
【０４６５】
ステップＰ６２４において、ＣＰＵ１０１は、カウント値Ｎ記憶用メモリＭ１からカウント値Ｎを読込む。ＣＰＵ１０１は、ステップＰ６２４における処理が終了した後、ステップＰ６２５を実行する。
【０４６６】
ステップＰ６２５において、ＣＰＵ１０１は、カウント値Ｎが各色のインキ・ツボ・キーの総数より大きいかどうか判断する。ＣＰＵ１０１は、カウント値Ｎが各色のインキ・ツボ・キーの総数より大きい場合、ステップＰ６２６を実行する。また、ＣＰＵ１０１は、カウント値Ｎが各色のインキ・ツボ・キーの総数より大きくない場合、ステップＰ５９５を実行する。
【０４６７】
図１９Ａ〜図１９Ｄに示すように、ステップＰ６２６において、ＣＰＵ１０１は、カウント値Ｎ記憶用メモリＭ１に、１を上書きする。ＣＰＵ１０１は、ステップＰ６２６における処理が終了した後、ステップＰ６２７を実行する。
【０４６８】
ステップＰ６２７において、ＣＰＵ１０１は、カウント値Ｎ記憶用メモリＭ１からカウント値Ｎを読込む。ＣＰＵ１０１は、ステップＰ６２７における処理が終了した後、ステップＰ６２８を実行する。
【０４６９】
ステップＰ６２８において、ＣＰＵ１０１は、Ｙの各インキ・ツボ・キーの範囲の合計値記憶用メモリＭ８０のＮ番目のアドレス位置より、ＹのＮ番目のインキ・ツボ・キーの範囲の合計値を読込む。ＣＰＵ１０１は、ステップＰ６２８における処理が終了した後、ステップＰ６２９を実行する。
【０４７０】
ステップＰ６２９において、ＣＰＵ１０１は、各インキ・ツボ・キーの範囲の総画素数記憶用メモリＭ８６のＮ番目のインキ・ツボ・キーのアドレス位置より、Ｎ番目のインキ・ツボ・キーの範囲の総画素数を読込む。ＣＰＵ１０１は、ステップＰ６２９における処理が終了した後、ステップＰ６３０を実行する。
【０４７１】
ステップＰ６３０において、ＣＰＵ１０１は、ＹのＮ番目のインキ・ツボ・キーの範囲の合計値をＮ番目のインキ・ツボ・キーの範囲の総画素数で除算し、ＹのＮ番目のインキ・ツボ・キーの範囲の絵柄面積率を演算し、各色の各インキ・ツボ・キーの範囲の絵柄面積率記憶用メモリＭ８７のＹのＮ番目用のアドレス位置に書込む。ＣＰＵ１０１は、ステップＰ６３０における処理が終了した後、ステップＰ６３１を実行する。
【０４７２】
ステップＰ６３１において、ＣＰＵ１０１は、各色の絵柄面積率−インキ・ツボ・キー開き量変換テーブル記憶用メモリＭ８８のＹ用のアドレス位置より、Ｙの絵柄面積率−インキ・ツボ・キー開き量変換テーブルを読込む。ＣＰＵ１０１は、ステップＰ６３１における処理が終了した後、ステップＰ６３２を実行する。
【０４７３】
ステップＰ６３２において、ＣＰＵ１０１は、Ｙの絵柄面積率−インキ・ツボ・キー開き量変換テーブルを用いて、ＹのＮ番目のインキ・ツボ・キーの範囲の絵柄面積率より、ＹのＮ番目のインキ・ツボ・キー開き量を求め、各インキ・ツボ・キーの開き量記憶用メモリＭ８９のＹのＮ番目のアドレス位置に記憶する。ＣＰＵ１０１は、ステップＰ６３２における処理が終了した後、ステップＰ６３３を実行する。
【０４７４】
ステップＰ６３３において、ＣＰＵ１０１は、カウント値Ｎ記憶用メモリＭ１からカウント値Ｎを読込む。ＣＰＵ１０１は、ステップＰ６３３における処理が終了した後、ステップＰ６３４を実行する。
【０４７５】
ステップＰ６３４において、ＣＰＵ１０１は、各色の各インキ・ツボ・キー開き量制御装置２００に、ＹのＮ番目のインキ・ツボ・キー開き量を送信する。ＣＰＵ１０１は、ステップＰ６３４における処理が終了した後、ステップＰ６３５を実行する。
【０４７６】
ステップＰ６３５において、ＣＰＵ１０１は、各色の各インキ・ツボ・キー開き量制御装置２００より、受信完了信号が送信されているかどうか判断する。ＣＰＵ１０１は、各色の各インキ・ツボ・キー開き量制御装置２００より、受信完了信号が送信されている場合、ステップＰ６３６を実行する。また、ＣＰＵ１０１は、各色の各インキ・ツボ・キー開き量制御装置２００より、受信完了信号が送信されていない場合、ステップＰ６３５を再度実行する。
【０４７７】
ステップＰ６３６〜Ｐ６４４、ステップＰ６４５〜Ｐ６５３及びステップＰ６５４〜Ｐ６６２において、ＣＰＵ１０１は、それぞれＭ、Ｃ及びＫについて、ステップＰ６２７〜Ｐ６３５においてＹについて行った処理と同様の処理を実行する。ＣＰＵ１０１は、ステップＰ６６２における処理が終了した後、ステップＰ６６３を実行する。
【０４７８】
ステップＰ６６３において、ＣＰＵ１０１は、カウント値Ｎ記憶用メモリＭ１からカウント値Ｎを読込む。ＣＰＵ１０１は、ステップＰ６６３における処理が終了した後、ステップＰ６６４を実行する。
【０４７９】
ステップＰ６６４において、ＣＰＵ１０１は、カウント値Ｎに１を加算し、カウント値Ｎ記憶用メモリＭ１に上書きする。ＣＰＵ１０１は、ステップＰ６６４における処理が終了した後、ステップＰ６６５を実行する。
【０４８０】
ステップＰ６６５において、ＣＰＵ１０１は、各色のインキ・ツボ・キー総数記憶用メモリＭ８４から各色のインキ・ツボ・キーの総数を読込む。ＣＰＵ１０１は、ステップＰ６６５における処理が終了した後、ステップＰ６６６を実行する。
【０４８１】
ステップＰ６６６において、ＣＰＵ１０１は、カウント値Ｎ記憶用メモリＭ１からカウント値Ｎを読込む。ＣＰＵ１０１は、ステップＰ６６６における処理が終了した後、ステップＰ６６７を実行する。
【０４８２】
ステップＰ６６７において、ＣＰＵ１０１は、カウント値Ｎが各色のインキ・ツボ・キーの総数より大きいかどうか判断する。ＣＰＵ１０１は、カウント値Ｎが各色のインキ・ツボ・キーの総数より大きい場合、本発明に係る印刷物の色調調整方法を用いる色調調整装置は、処理を終了する。また、ＣＰＵ１０１は、カウント値Ｎが各色のインキ・ツボ・キーの総数より大きくない場合、ステップＰ６２７を実行する。
以上が、本発明に係る印刷物の色調調整方法を用いる色調調整装置１００の動作フローである。
【０４８３】
次に、本発明に係る印刷物の色調調整方法を用いる色調調整装置により制御される各色の各インキ・ツボ・キー開き量制御装置２００の動作フローについて詳細に説明する。
図２０Ａ，図２０Ｂに示すように、本発明に係る印刷物の色調調整方法を用いる色調調整装置により制御される各色の各インキ・ツボ・キー開き量制御装置２００は、処理の開始後、ステップＰ１０００において、ＣＰＵ２０１は、色調調整装置１００より、インキ・ツボ・キーの開き量が送信されているかどうか判断する。ＣＰＵ２０１は、色調調整装置１００より、インキ・ツボ・キーの開き量が送信されている場合、ステップＰ１００１を実行する。また、ＣＰＵ２０１は、色調調整装置１００より、インキ・ツボ・キーの開き量が送信されていない場合、ステップＰ１０００を実行する。
【０４８４】
ステップＰ１００１において、ＣＰＵ２０１は、インキ・ツボ・キーの開き量を受信し、受信したインキ・ツボ・キーの開き量記憶用メモリＭ１００に記憶する。ＣＰＵ２０１は、ステップＰ１００１における処理が終了した後、ステップＰ１００２を実行する。
【０４８５】
ステップＰ１００２において、ＣＰＵ２０１は、色調調整装置１００に、インキ・ツボ・キーの開き量の受信完了信号を送信する。ＣＰＵ２０１は、ステップＰ１００２における処理が終了した後、ステップＰ１００３を実行する。
【０４８６】
ステップＰ１００３において、ＣＰＵ２０１は、受信したインキ・ツボ・キーの開き量を、目標とするインキ・ツボ・キーの開き量記憶用メモリＭ１０１に上書きする。ＣＰＵ２０１は、ステップＰ１００３における処理が終了した後、ステップＰ１００４を実行する。
【０４８７】
ステップＰ１００４において、ＣＰＵ２０１は、カウンタ２０７より、カウント値を読込み、カウンタのカウント値記憶用メモリＭ１０２に記憶する。ＣＰＵ２０１は、ステップＰ１００４における処理が終了した後、ステップＰ１００５を実行する。
【０４８８】
ステップＰ１００５において、ＣＰＵ２０１は、カウンタ２０７のカウント値より、現在のインキ・ツボ・キーの開き量を演算し、現在のインキ・ツボ・キーの開き量記憶用メモリＭ１０３に記憶する。ＣＰＵ２０１は、ステップＰ１００５における処理が終了した後、ステップＰ１００６を実行する。
【０４８９】
ステップＰ１００６において、ＣＰＵ２０１は、目標とするインキ・ツボ・キーの開き量記憶用メモリＭ１０１から目標とするインキ・ツボ・キーの開き量を読込む。ＣＰＵ２０１は、ステップＰ１００６における処理が終了した後、ステップＰ１００７を実行する。
【０４９０】
ステップＰ１００７において、ＣＰＵ２０１は、現在のインキ・ツボ・キーの開き量が目標とするインキ・ツボ・キーの開き量と等しいかどうか判断する。ＣＰＵ２０１は、現在のインキ・ツボ・キーの開き量が目標とするインキ・ツボ・キーの開き量と等しい場合、ステップＰ１０００を実行する。また、ＣＰＵ２０１は、現在のインキ・ツボ・キーの開き量が目標とするインキ・ツボ・キーの開き量と等しくない場合、ステップＰ１００８を実行する。
【０４９１】
ステップＰ１００８において、ＣＰＵ２０１は、現在のインキ・ツボ・キーの開き量が目標とするインキ・ツボ・キーの開き量より小さいかどうか判断する。ＣＰＵ２０１は、現在のインキ・ツボ・キーの開き量が目標とするインキ・ツボ・キーの開き量より小さい場合、ステップＰ１００９を実行する。また、ＣＰＵ２０１は、現在のインキ・ツボ・キーの開き量が目標とするインキ・ツボ・キーの開き量より小さくない場合、ステップＰ１０１０を実行する。
【０４９２】
ステップＰ１００９において、ＣＰＵ２０１は、インキ・ツボ・キー駆動用モータ・ドライバ２０５に、正転指令を出力する。ＣＰＵ２０１は、ステップＰ１００９における処理が終了した後、ステップＰ１０１１を実行する。
【０４９３】
ステップＰ１０１０において、ＣＰＵ２０１は、インキ・ツボ・キー駆動用モータ・ドライバ２０５に、逆転指令を出力する。ＣＰＵ２０１は、ステップＰ１０１０における処理が終了した後、ステップＰ１０１１を実行する。
【０４９４】
ステップＰ１０１１において、ＣＰＵ２０１は、カウンタ２０７より、カウント値を読込み、カウンタのカウント値記憶用メモリＭ１０２に記憶する。ＣＰＵ２０１は、ステップＰ１０１１における処理が終了した後、ステップＰ１０１２を実行する。
【０４９５】
ステップＰ１０１２において、ＣＰＵ２０１は、カウンタ２０７のカウント値より、現在のインキ・ツボ・キーの開き量を演算し、現在のインキ・ツボ・キーの開き量記憶用メモリＭ１０３に記憶する。ＣＰＵ２０１は、ステップＰ１０１２における処理が終了した後、ステップＰ１０１３を実行する。
【０４９６】
ステップＰ１０１３において、ＣＰＵ２０１は、目標とするインキ・ツボ・キーの開き量記憶用メモリＭ１０１から目標とするインキ・ツボ・キーの開き量を読込む。ＣＰＵ２０１は、ステップＰ１０１３における処理が終了した後、ステップＰ１０１４を実行する。
【０４９７】
ステップＰ１０１４において、ＣＰＵ２０１は、現在のインキ・ツボ・キーの開き量が目標とするインキ・ツボ・キーの開き量と等しいかどうか判断する。ＣＰＵ２０１は、現在のインキ・ツボ・キーの開き量が目標とするインキ・ツボ・キーの開き量と等しい場合、ステップＰ１０１５を実行する。また、ＣＰＵ２０１は、現在のインキ・ツボ・キーの開き量が目標とするインキ・ツボ・キーの開き量と等しくない場合、ステップＰ１０１１を実行する。
【０４９８】
ステップＰ１０１５において、ＣＰＵ２０１は、インキ・ツボ・キー駆動用モータ・ドライバ２０５に、駆動停止指令を出力する。ＣＰＵ２０１は、ステップＰ１０１５における処理が終了した後、ステップＰ１０００を実行する。
以上が、本発明に係る印刷物の色調調整方法を用いる色調調整装置により制御される各色の各インキ・ツボ・キー開き量制御装置２００の動作フローである。
【０４９９】
以上の動作フローによって、印刷機の各色の各インキ・ツボ・キーが調整された色調に応じた開き量に設定される。よって、前記ＰＰＦデータに応じて絵柄が焼き付けられた刷版を印刷機に装着し、前記で設定された各インキ・ツボ・キーの開き量で印刷が行われることにより、調整された色調の印刷物が即座に印刷されることになる。
【０５００】
以上に説明したように、本発明に係る印刷物の色調調整方法によれば、参照画像として各インキ色のインキ供給量を増減したときの絵柄の色調を小さく分割して表示器に表示してオペレータに対する指針を示し、それを参考にしながらオペレータがインキ供給量を調整することにより、印刷物の色調を容易に調整することができる。
【産業上の利用可能性】
【０５０１】
本発明は、例えば、各種の印刷機における印刷物の色調調整方法に利用することが可能である。
【符号の説明】
【０５０２】
１  色調調整領域指定画面、２  色調調整領域指定部、３  インキ供給量調整部、４  スイッチ配置部、５  色調調整画面、６  変更画像表示部、１０  カーソル、１１  再表示スイッチ、１２  セットスイッチ、１３  インキ供給量表示部、１４  インキ供給量アップスイッチ、１５  インキ供給量ダウンスイッチ、１６  現在の色調表示部、１７  調整した色調表示部、１８  Ｙｕｐ表示部、１９  Ｍｕｐ表示部、２０  Ｃｕｐ表示部、２１  Ｋｕｐ表示部、２２  Ｙｄｏｗｎ表示部、２３  Ｍｄｏｗｎ表示部、２４  Ｃｄｏｗｎ表示部、２５  Ｋｄｏｗｎ表示部、２６  Ｙｕｐスイッチ、２７  Ｍｕｐスイッチ、２８  Ｃｕｐスイッチ、２９  Ｋｕｐスイッチ、３０  Ｙｄｏｗｎスイッチ、３１  Ｍｄｏｗｎスイッチ、３２  Ｃｄｏｗｎスイッチ、３３  Ｋｄｏｗｎスイッチ、１００  色調調整装置、１０１  ＣＰＵ、１０２  ＲＡＭ、１０３  ＲＯＭ、１０４，１０６，１２２  入出力装置（Ｉ／Ｏ）、１２４  インタフェース（Ｉ／Ｆ）、１０５  マウス、１０７  選択範囲確定スイッチ、１０８  Ｙ増加スイッチ、１０９  Ｙ減少スイッチ、１１０  Ｍ増加スイッチ、１１１  Ｍ減少スイッチ、１１２  Ｃ増加スイッチ、１１３  Ｃ減少スイッチ、１１４  Ｋ増加スイッチ、１１５  Ｋ減少スイッチ、１１６  色調調整完了スイッチ、１１７  色調再調整スイッチ、１１８  入力装置、１１９  表示器、１２０  Ｆ・Ｄドライブ、１２１  プリンタ等の出力装置、１２３  内部クロック・カウンタ、２００  各色の各インキ・ツボ・キー開き量制御装置、２０１  ＣＰＵ、２０２  ＲＯＭ、２０３  ＲＡＭ、２０４  Ｉ／Ｏ、２０９  Ｉ／Ｆ、２０５  インキ・ツボ・キー駆動用モータ・ドライバ、２０６  インキ・ツボ・キー駆動用モータ、２０７  カウンタ、２０８  インキ・ツボ・キー駆動用モータ用ロータリー・エンコーダ
【図１】
0005457341.tif 000002
【図２】
0005457341.tif 000003
【図３】
0005457341.tif 000004
【図４】
0005457341.tif 000005
【図５】
0005457341.tif 000006
【図６】
0005457341.tif 000007
【図７】
0005457341.tif 000008
【図８】
0005457341.tif 000009
【図９Ａ】
0005457341.tif 000010
【図９Ｂ】
0005457341.tif 000011
【図９Ｃ】
0005457341.tif 000012
【図１０】
0005457341.tif 000013
【図１１Ａ】
0005457341.tif 000014
【図１１Ｂ】
0005457341.tif 000015
【図１１Ｃ】
0005457341.tif 000016
【図１２Ａ】
0005457341.tif 000017
【図１２Ｂ】
0005457341.tif 000018
【図１２Ｃ】
0005457341.tif 000019
【図１２Ｄ】
0005457341.tif 000020
【図１２Ｅ】
0005457341.tif 000021
【図１２Ｆ】
0005457341.tif 000022
【図１３Ａ】
0005457341.tif 000023
【図１３Ｂ】
0005457341.tif 000024
【図１３Ｃ】
0005457341.tif 000025
【図１３Ｄ】
0005457341.tif 000026
【図１３Ｅ】
0005457341.tif 000027
【図１３Ｆ】
0005457341.tif 000028
【図１３Ｇ】
0005457341.tif 000029
【図１４Ａ】
0005457341.tif 000030
【図１４Ｂ】
0005457341.tif 000031
【図１４Ｃ】
0005457341.tif 000032
【図１４Ｄ】
0005457341.tif 000033
【図１４Ｅ】
0005457341.tif 000034
【図１４Ｆ】
0005457341.tif 000035
【図１５Ａ】
0005457341.tif 000036
【図１５Ｂ】
0005457341.tif 000037
【図１５Ｃ】
0005457341.tif 000038
【図１５Ｄ】
0005457341.tif 000039
【図１５Ｅ】
0005457341.tif 000040
【図１５Ｆ】
0005457341.tif 000041
【図１５Ｇ】
0005457341.tif 000042
【図１５Ｈ】
0005457341.tif 000043
【図１５Ｉ】
0005457341.tif 000044
【図１６Ａ】
0005457341.tif 000045
【図１６Ｂ】
0005457341.tif 000046
【図１６Ｃ】
0005457341.tif 000047
【図１７Ａ】
0005457341.tif 000048
【図１７Ｂ】
0005457341.tif 000049
【図１７Ｃ】
0005457341.tif 000050
【図１７Ｄ】
0005457341.tif 000051
【図１７Ｅ】
0005457341.tif 000052
【図１７Ｆ】
0005457341.tif 000053
【図１７Ｇ】
0005457341.tif 000054
【図１８Ａ】
0005457341.tif 000055
【図１８Ｂ】
0005457341.tif 000056
【図１８Ｃ】
0005457341.tif 000057
【図１８Ｄ】
0005457341.tif 000058
【図１９Ａ】
0005457341.tif 000059
【図１９Ｂ】
0005457341.tif 000060
【図１９Ｃ】
0005457341.tif 000061
【図１９Ｄ】
0005457341.tif 000062
【図２０Ａ】
0005457341.tif 000063
【図２０Ｂ】
0005457341.tif 000064